(57)【要約】  本発明の実施形態は、無認可スペクトルのACK／NACKフィードバック方法および関連するデバイスを開示しており、この方法は、ネットワークデバイスによって、マッピング関係を端末デバイスに明示的または暗示的に通知するステップであって、マッピング関係は、端末デバイスによって送信されたターゲットデータに関する情報とネットワークデバイスによって肯定応答ACK／否定応答NACKをフィードバックするための指示情報との間のマッピング関係を含む、ステップと、ネットワークデバイスによって、端末デバイスによって送信されたターゲットデータを受信するステップと、ネットワークデバイスによって、ターゲットデータおよびマッピング関係に関する情報に基づいて対応する指示情報を決定するステップと、ネットワークデバイスによって、ACK／NACKをフィードバックすることを決定するための指示情報に基づいてACK／NACKを端末デバイスにフィードバックするステップとを含む。本発明の実施形態は、ネットワークデバイスによるACK／NACKの早すぎる返送によるネットワークデバイスキャッシュ蓄積の問題、およびネットワークデバイスによりACK／NACKを返送するための大きなオーバヘッドの問題を解決することを目的とする。
2019533398.tif 000002
【特許請求の範囲】
【請求項１】
無認可スペクトルのACK／NACKフィードバック方法であって、前記方法は、
ネットワークデバイスによって、マッピング関係を端末デバイスに明示的または暗示的に通知するステップであって、前記マッピング関係は、前記端末デバイスによって送信されたターゲットデータに関する情報と前記ネットワークデバイスによって肯定応答ACK／否定応答NACKをフィードバックするための指示情報との間のマッピング関係を含む、ステップと、
前記ネットワークデバイスによって、前記端末デバイスによって送信された前記ターゲットデータを受信するステップと、
前記ネットワークデバイスによって、前記ターゲットデータおよび前記マッピング関係に関する前記情報に基づいて前記対応する指示情報を決定するステップと、
前記ネットワークデバイスによって、前記ACK／NACKをフィードバックすることを決定するための前記指示情報に基づいて前記ACK／NACKを端末デバイスにフィードバックするステップと
を含む、方法。
【請求項２】
前記ネットワークデバイスによって、前記ターゲットデータに関する前記情報および前記マッピング関係に基づいて前記対応する指示情報を決定する前記ステップが、
前記ネットワークデバイスによって、前記ターゲットデータが送信されるアップリンクチャネルのタイプを決定するステップであって、前記アップリンクチャネルタイプはフィードバックアップリンクチャネルと非フィードバックアップリンクチャネルとを含む、ステップと、
前記ネットワークデバイスによって、前記ターゲットデータが送信される前記アップリンクチャネルの前記タイプおよび前記マッピング関係に基づいて前記対応する指示情報を決定するステップと
を含む、請求項1に記載の方法。
【請求項３】
前記ネットワークデバイスによって、前記ターゲットデータが送信される前記アップリンクチャネルの前記タイプおよび前記マッピング関係に基づいて前記対応する指示情報を決定する前記ステップが、
前記ターゲットデータが前記フィードバックアップリンクチャネル上で送信される場合、前記マッピング関係に基づいて前記ネットワークデバイスによって、前記指示情報が前記ACK／NACKを前記端末デバイスにフィードバックしていると決定するステップ、あるいは
前記ターゲットデータが前記非フィードバックアップリンクチャネル上で送信される場合、前記マッピング関係に基づいて前記ネットワークデバイスによって、前記指示情報が前記ACK／NACKを前記端末デバイスにフィードバックしていないと決定するステップ
を含む、請求項2に記載の方法。
【請求項４】
ネットワークデバイスによって、マッピング関係を端末デバイスに明示的に通知する前記ステップが、
前記ネットワークデバイスによって、ブロードキャストメッセージを前記端末デバイスに送信するステップであって、前記ブロードキャストメッセージは、前記アップリンクチャネルタイプと、前記フィードバックアップリンクチャネルに対応する物理ダウンリンク制御チャネルPDCCHロケーションとを含み、前記ブロードキャストメッセージは、前記ターゲットデータが送信される前記アップリンクチャネルの前記タイプと、前記ネットワークデバイスによって前記ACK／NACKをフィードバックするための前記指示情報との間のマッピング関係を搬送する、ステップ
を含む、請求項2または3に記載の方法。
【請求項５】
前記ブロードキャストメッセージが、前記フィードバックアップリンクチャネルの選択条件をさらに含み、前記選択条件は、前記フィードバックアップリンクチャネルを選択する確率pまたは前記フィードバックアップリンクチャネルを選択するための端末デバイス参照属性を含む、請求項4に記載の方法。
【請求項６】
前記ネットワークデバイスによって、前記ターゲットデータに関する前記情報および前記マッピング関係に基づいて前記対応する指示情報を決定する前記ステップが、
前記ネットワークデバイスによって、前記ターゲットデータが指示識別子を搬送するかどうかを決定するステップと、
前記ネットワークデバイスによって、前記マッピング関係に基づいてかつ前記ターゲットデータが前記指示識別子を搬送するかどうかに基づいて、前記対応する指示情報を決定するステップと
を含む、請求項1に記載の方法。
【請求項７】
前記ネットワークデバイスによって、前記マッピング関係に基づいてかつ前記ターゲットデータが前記指示識別子を搬送するかどうかに基づいて、前記対応する指示情報を決定する前記ステップが、
前記ターゲットデータが前記指示識別子を搬送する場合、前記マッピング関係に基づいて前記ネットワークデバイスによって、前記指示情報が前記ACK／NACKを前記端末デバイスにフィードバックしていると決定するステップ、あるいは
前記ターゲットデータが前記指示識別子を搬送しない場合、前記マッピング関係に基づいて前記ネットワークデバイスによって、前記指示情報が前記ACK／NACKを前記端末デバイスにフィードバックしていないと決定するステップ
を含む、請求項6に記載の方法。
【請求項８】
前記指示識別子が、前記ターゲットデータのパケットヘッダ内に位置するビットbitフラグである、請求項6または7に記載の方法。
【請求項９】
ネットワークデバイスによって、端末デバイスにマッピング関係を暗示的に通知する前記ステップが、
前記ネットワークデバイスによって、前記端末デバイスにブロードキャストメッセージを送信するステップであって、前記ブロードキャストメッセージは、前記ACK／NACKをフィードバックするための対応するPDCCHロケーションを含み、前記ブロードキャストメッセージは、前記ターゲットデータが前記指示識別子を搬送するかどうかと、前記ネットワークデバイスによって前記ACK／NACKをフィードバックするための前記指示情報との間のマッピング関係を搬送する、ステップ
を含む、請求項6から8のいずれか一項に記載の方法。
【請求項１０】
前記ブロードキャストメッセージが、前記ACK／NACKフィードバックをサポートする参照条件をさらに含み、前記参照条件は、前記ACK／NACKフィードバックをサポートする端末デバイス参照属性を含む、請求項9に記載の方法。
【請求項１１】
無認可スペクトルのACK／NACKフィードバック方法であって、前記方法は、
端末デバイスによって、ネットワークデバイスにより明示的または暗示的に通知されたマッピング関係を受信するステップであって、前記マッピング関係は、前記端末デバイスによって送信されたターゲットデータに関する情報と前記ネットワークデバイスによってACK／NACKをフィードバックするための指示情報との間のマッピング関係を含む、ステップと、
前記端末デバイスによって、前記マッピング関係に基づいて前記ターゲットデータを前記ネットワークデバイスに送信するステップと、
前記端末デバイスによって、前記ターゲットデータに関する情報および前記マッピング関係に基づいて前記対応する指示情報を決定するステップと、
前記端末デバイスによって、前記ACK／NACKをフィードバックすることを決定するための前記指示情報に基づいて、前記ネットワークデバイスによりフィードバックされた前記ACK／NACKを監視するステップと
を含む、方法。
【請求項１２】
端末デバイスによって、ネットワークデバイスにより明示的に通知されたマッピング関係を受信する前記ステップが、
前記端末デバイスによって、前記ネットワークデバイスにより送信されたブロードキャストメッセージを受信するステップであって、前記ブロードキャストメッセージはアップリンクチャネルタイプおよびフィードバックアップリンクチャネルに対応するPDCCHロケーションを含み、前記アップリンクチャネルタイプは、フィードバックアップリンクチャネルと非フィードバックアップリンクチャネルとを含み、前記ブロードキャストメッセージは、前記ターゲットデータが送信される前記アップリンクチャネルの前記タイプと前記ネットワークデバイスによって前記ACK／NACKをフィードバックするための前記指示情報との間のマッピング関係を搬送する、ステップ
を含む、請求項11に記載の方法。
【請求項１３】
前記端末デバイスによって、前記マッピング関係に基づいて前記ターゲットデータを前記ネットワークデバイスに送信する前記ステップが、
前記端末デバイスによって、前記ACK／NACKフィードバックが必要であるかどうかを前記端末デバイスの属性に基づいて決定するステップと、
前記端末デバイスが前記ACK／NACKフィードバックを必要とする場合、前記マッピング関係に基づいて前記端末デバイスによって、前記ターゲットデータが送信される前記アップリンクチャネルが前記フィードバックアップリンクチャネルであると決定するステップと、
前記端末デバイスによって、前記フィードバックアップリンクチャネルを使用して前記ターゲットデータを前記ネットワークデバイスに送信するステップと、
あるいは
前記端末デバイスが前記ACK／NACKフィードバックを必要としない場合、前記マッピング関係に基づいて前記端末デバイスによって、前記ターゲットデータが送信される前記アップリンクチャネルが前記非フィードバックアップリンクチャネルであると決定するステップと、
前記端末デバイスによって、前記非フィードバックアップリンクチャネルを使用して前記ターゲットデータを前記ネットワークデバイスに送信するステップと
を含む、請求項12に記載の方法。
【請求項１４】
前記ブロードキャストメッセージが、前記フィードバックアップリンクチャネルの選択条件をさらに含み、前記選択条件は、前記フィードバックアップリンクチャネルを選択する確率pまたは前記フィードバックアップリンクチャネルを選択するための端末デバイス参照属性を含む、請求項12に記載の方法。
【請求項１５】
前記端末デバイスによって、前記マッピング関係に基づいて前記ターゲットデータを前記ネットワークデバイスに送信する前記ステップが、
前記選択条件が、前記フィードバックアップリンクチャネルを選択するpである場合、前記端末デバイスによって、［0，1］から値xをランダムに選択するステップと、
前記端末デバイスによって、xをpと比較するステップと、
x＜pの場合、前記マッピング関係に基づいて前記端末デバイスによって、前記ターゲットデータが送信される前記アップリンクチャネルが前記フィードバックアップリンクチャネルであると決定するステップと、
前記端末デバイスによって、前記フィードバックアップリンクチャネルを使用して、前記ターゲットデータを前記ネットワークデバイスに送信するステップと、
あるいは
x＞＝pの場合、前記マッピング関係に基づいて前記端末デバイスによって、前記ターゲットデータが送信される前記アップリンクチャネルが前記非フィードバックアップリンクチャネルであると決定するステップと、
前記端末デバイスによって、前記非フィードバックアップリンクチャネルを使用して前記ターゲットデータを前記ネットワークデバイスに送信するステップと
を含む、請求項14に記載の方法。
【請求項１６】
前記端末デバイスによって、前記マッピング関係に基づいて前記ターゲットデータを前記ネットワークデバイスに送信する前記ステップが、
前記選択条件が前記フィードバックアップリンクチャネルを選択するための前記端末デバイス参照属性である場合、前記端末デバイスによって、前記端末デバイスの属性と前記参照属性とを比較するステップと、
前記端末デバイスの前記属性が前記参照属性に達した場合、前記マッピング関係に基づいて前記端末デバイスによって、前記ターゲットデータが送信される前記アップリンクチャネルが前記フィードバックアップリンクチャネルであると決定するステップと、
前記端末デバイスによって、前記フィードバックアップリンクチャネルを使用して前記ターゲットデータを前記ネットワークデバイスに送信するステップと、
あるいは
前記端末デバイスの前記属性が前記参照属性に達していない場合、前記マッピング関係に基づいて前記端末デバイスによって、前記ターゲットデータが送信される前記アップリンクチャネルが前記非フィードバックアップリンクチャネルであると決定するステップと、
前記端末デバイスによって、前記非フィードバックアップリンクチャネルを使用して前記ターゲットデータを前記ネットワークデバイスに送信するステップと
を含む、請求項14に記載の方法。
【請求項１７】
端末デバイスによって、ネットワークデバイスによって暗示的に通知されたマッピング関係を受信する前記ステップが、
前記端末デバイスによって、前記ネットワークデバイスにより送信されたブロードキャストメッセージを受信するステップであって、前記ブロードキャストメッセージは、前記ACK／NACKをフィードバックするための対応するPDCCHロケーションを含み、前記ブロードキャストメッセージは、前記ターゲットデータが指示識別子を搬送するかどうかと、前記ネットワークデバイスによって前記ACK／NACKをフィードバックするための前記指示情報との間のマッピング関係を搬送する、ステップ
を含む、請求項11に記載の方法。
【請求項１８】
前記端末デバイスによって、前記マッピング関係に基づいて前記ターゲットデータを前記ネットワークデバイスに送信する前記ステップが、
前記端末デバイスの前記属性に基づいて前記端末デバイスによって、前記ACK／NACKフィードバックが必要であるかどうかを決定するステップと、
前記端末デバイスが前記ACK／NACKフィードバックを必要とする場合、前記端末デバイスによって、前記マッピング関係に基づいて前記指示識別子を前記ターゲットデータに追加するステップと、
前記端末デバイスによって、前記指示識別子を搬送する前記ターゲットデータを前記ネットワークデバイスに送信するステップと、
あるいは
前記端末デバイスが前記ACK／NACKフィードバックを必要としない場合、前記端末デバイスによって、前記マッピング関係に基づいて前記指示識別子を前記ターゲットデータに追加することをスキップするステップと、
前記端末デバイスによって、前記指示識別子を搬送しない前記ターゲットデータを前記ネットワークデバイスに送信するステップと
を含む、請求項16に記載の方法。
【請求項１９】
前記ブロードキャストメッセージが、前記ACK／NACKフィードバックをサポートする参照条件をさらに含み、前記参照条件は、前記ACK／NACKフィードバックをサポートする端末デバイス参照属性を含む、請求項17に記載の方法。
【請求項２０】
前記端末デバイスによって、前記マッピング関係に基づいて前記ターゲットデータを前記ネットワークデバイスに送信する前記ステップが、
前記端末デバイスによって、前記端末デバイスの属性と前記参照属性とを比較するステップと、
前記端末デバイスの前記属性が前記参照属性に達した場合、前記端末デバイスによって、前記マッピング関係に基づいて前記指示識別子を前記ターゲットデータに追加するステップと、
前記端末デバイスによって、前記指示識別子を搬送する前記ターゲットデータを前記ネットワークデバイスに送信するステップと、
あるいは
前記端末デバイスの前記属性が前記参照属性に達していない場合、前記端末デバイスによって、前記マッピング関係に基づいて前記指示識別子を前記ターゲットデータに追加することをスキップするステップと、
前記端末デバイスによって、前記指示識別子を搬送しない前記ターゲットデータを前記ネットワークデバイスに送信するステップと
を含む、請求項19に記載の方法。
【請求項２１】
マッピング関係を端末デバイスに明示的または暗示的に通知するように構成された送信モジュールであって、前記マッピング関係は前記端末デバイスによって送信されたターゲットデータに関する情報と前記ネットワークデバイスによってACK／NACKをフィードバックするための指示情報との間のマッピング関係を含む、送信モジュールと、
前記端末デバイスによって送信された前記ターゲットデータを受信するように構成された受信モジュールと、
前記受信モジュールによって受信された前記ターゲットデータに関する前記情報および前記マッピング関係に基づいて前記対応する指示情報を決定するように構成された処理モジュールと
を備える、ネットワークデバイスであって、
前記送信モジュールは、前記ACK／NACKをフィードバックすることを決定するためのものでありかつ前記処理モジュールによって実行された前記処理の後に取得される前記指示情報に基づいて、前記ACK／NACKを前記端末デバイスにフィードバックするようにさらに構成される、
ネットワークデバイス。
【請求項２２】
前記処理モジュールが、前記受信モジュールによって受信された前記ターゲットデータに関する前記情報および前記マッピング関係に基づいて前記対応する指示情報を決定するように構成されるということが、
前記受信モジュールによって受信された前記ターゲットデータが送信されるアップリンクチャネルのタイプを決定し、前記アップリンクチャネルタイプは、フィードバックアップリンクチャネルおよび非フィードバックアップリンクチャネルを含むこと、および
前記受信モジュールによって受信された前記ターゲットデータが送信される前記アップリンクチャネルの前記タイプおよび前記マッピング関係に基づいて前記対応する指示情報を決定すること
を含む、請求項21に記載のネットワークデバイス。
【請求項２３】
前記処理モジュールが、前記受信モジュールによって受信された前記ターゲットデータが送信される前記アップリンクチャネルの前記タイプおよび前記マッピング関係に基づいて前記対応する指示情報を決定するように構成されるということが、
前記ターゲットデータが前記フィードバックアップリンクチャネル上で送信される場合、前記マッピング関係に基づいて、前記指示情報が前記ACK／NACKを前記端末デバイスにフィードバックしていると決定すること、あるいは
前記ターゲットデータが前記非フィードバックアップリンクチャネル上で送信される場合、前記マッピング関係に基づいて、前記指示情報が前記ACK／NACKを前記端末デバイスにフィードバックしていないと決定すること
を含む、請求項22に記載のネットワークデバイス。
【請求項２４】
前記送信モジュールが端末デバイスにマッピング関係を明示的に通知するように構成されるということが、
ブロードキャストメッセージを前記端末デバイスに送信し、前記ブロードキャストメッセージは、前記アップリンクチャネルタイプと、前記フィードバックアップリンクチャネルに対応する物理ダウンリンク制御チャネルPDCCHロケーションとを含み、前記ブロードキャストメッセージは、前記ターゲットデータが送信される前記アップリンクチャネルの前記タイプと、前記ネットワークデバイスによって前記ACK／NACKをフィードバックするための前記指示情報との間のマッピング関係を搬送すること
を含む、請求項22または23に記載のネットワークデバイス。
【請求項２５】
前記ブロードキャストメッセージが、前記フィードバックアップリンクチャネルの選択条件をさらに含み、前記選択条件は、前記フィードバックアップリンクチャネルを選択する確率pまたは前記フィードバックアップリンクチャネルを選択するための端末デバイス参照属性を含む、請求項24に記載のネットワークデバイス。
【請求項２６】
前記処理モジュールが、前記受信モジュールによって受信された前記ターゲットデータに関する前記情報および前記マッピング関係に基づいて前記対応する指示情報を決定するように構成されるということが、
前記ターゲットデータが指示識別子を搬送するかどうかを決定すること、および
前記マッピング関係に基づいてかつ前記ターゲットデータが前記指示識別子を搬送するかどうかに基づいて、前記対応する指示情報を決定すること
を含む、請求項21に記載のネットワークデバイス。
【請求項２７】
前記処理モジュールが、前記マッピング関係に基づいてかつ前記ターゲットデータが前記指示識別子を搬送するかどうかに基づいて、前記対応する指示情報を決定するように構成されるということが、
前記ターゲットデータが前記指示識別子を搬送する場合、前記マッピング関係に基づいて、前記指示情報が前記ACK／NACKを前記端末デバイスにフィードバックしていると決定すること、あるいは
前記ターゲットデータが前記指示識別子を搬送しない場合、前記マッピング関係に基づいて、前記指示情報が前記ACK／NACKを前記端末デバイスにフィードバックしていないと決定すること
を含む、請求項26に記載のネットワークデバイス。
【請求項２８】
前記指示識別子が、前記ターゲットデータのパケットヘッダ内に位置するビットbitフラグである、請求項26または27に記載のネットワークデバイス。
【請求項２９】
前記送信モジュールがマッピング関係を端末デバイスに暗示的に通知するように構成されるということは、
前記端末デバイスにブロードキャストメッセージを送信し、前記ブロードキャストメッセージは、前記ACK／NACKをフィードバックするための対応するPDCCHロケーションを含み、前記ブロードキャストメッセージは、前記ターゲットデータが前記指示識別子を搬送するかどうかと、前記ネットワークデバイスによって前記ACK／NACKをフィードバックするための前記指示情報との間のマッピング関係を搬送すること
を含む、請求項26から28のいずれか一項に記載のネットワークデバイス。
【請求項３０】
前記ブロードキャストメッセージが、前記ACK／NACKフィードバックをサポートする参照条件をさらに含み、前記参照条件は、前記ACK／NACKフィードバックをサポートする端末デバイス参照属性を含む、請求項29に記載のネットワークデバイス。
【請求項３１】
ネットワークデバイスによって明示的または暗示的に通知されたマッピング関係を受信するように構成された受信モジュールであって、前記マッピング関係は、前記端末デバイスによって送信されたターゲットデータに関する情報と、前記ネットワークデバイスによってACK／NACKをフィードバックするための指示情報との間のマッピング関係を含む、受信モジュールと、
前記受信モジュールによって受信された前記マッピング関係に基づいて前記ターゲットデータを前記ネットワークデバイスに送信するように構成された送信モジュールと、
前記送信モジュールによって送信された前記ターゲットデータに関する前記情報と、前記受信モジュールによって受信された前記マッピング関係とに基づいて、前記対応する指示情報を決定し、前記ACK／NACKをフィードバックすることを決定するための前記指示情報に基づいて、前記ネットワークデバイスによってフィードバックされた前記ACK／NACKをさらに監視するように構成された処理モジュールと、
を備える、端末デバイス。
【請求項３２】
前記受信モジュールが、ネットワークデバイスによって明示的に通知されたマッピング関係を受信するように構成されるということが、
前記ネットワークデバイスにより送信されたブロードキャストメッセージを受信し、前記ブロードキャストメッセージはアップリンクチャネルタイプおよびフィードバックアップリンクチャネルに対応するPDCCHロケーションを含み、前記アップリンクチャネルタイプは、フィードバックアップリンクチャネルと非フィードバックアップリンクチャネルとを含み、前記ブロードキャストメッセージは、前記ターゲットデータが送信される前記アップリンクチャネルの前記タイプと前記ネットワークデバイスによって前記ACK／NACKをフィードバックするための前記指示情報との間のマッピング関係を搬送すること
を含む、請求項31に記載の端末デバイス。
【請求項３３】
前記送信モジュールが、前記受信モジュールによって受信された前記マッピング関係に基づいて前記ターゲットデータを前記ネットワークデバイスに送信するように構成されるということが、
前記端末デバイスの属性に基づいて前記処理モジュールを使用して、前記ACK／NACKフィードバックが必要であるかどうかを決定すること、
前記端末デバイスが前記ACK／NACKフィードバックを必要とする場合、前記受信モジュールによって受信された前記マッピング関係に基づいて前記処理モジュールを使用して、前記ターゲットデータが送信される前記アップリンクチャネルが前記フィードバックアップリンクチャネルであると決定すること、および
前記処理モジュールによって決定された前記フィードバックアップリンクチャネルを使用して、前記ターゲットデータを前記ネットワークデバイスに送信すること、
あるいは
前記端末デバイスが前記ACK／NACKフィードバックを必要としない場合、前記受信モジュールによって受信された前記マッピング関係に基づいて前記処理モジュールを使用して、前記ターゲットデータが送信される前記アップリンクチャネルが前記非フィードバックアップリンクチャネルであると決定すること、および
前記処理モジュールによって決定された前記非フィードバックアップリンクチャネルを使用して前記ターゲットデータを前記ネットワークデバイスに送信すること
を含む、請求項32に記載の端末デバイス。
【請求項３４】
前記ブロードキャストメッセージが、前記フィードバックアップリンクチャネルの選択条件をさらに含み、前記選択条件は、前記フィードバックアップリンクチャネルを選択する確率pまたは前記フィードバックアップリンクチャネルを選択するための端末デバイス参照属性を含む、請求項32に記載の端末デバイス。
【請求項３５】
前記送信モジュールが、前記受信モジュールによって受信された前記マッピング関係に基づいて前記ターゲットデータを前記ネットワークデバイスに送信するように構成されるということが、
前記選択条件が前記フィードバックアップリンクチャネルを選択するpである場合、前記処理モジュールを使用して［0，1］から値xをランダムに選択すること；
前記処理モジュールを使用してxをpと比較すること；
x＜pである場合、前記受信モジュールによって受信された前記マッピング関係に基づいて前記処理モジュールを使用して、前記ターゲットデータが送信される前記アップリンクチャネルが前記フィードバックアップリンクチャネルであると決定すること、および
前記処理モジュールによって決定された前記フィードバックアップリンクチャネルを使用して前記ターゲットデータを前記ネットワークデバイスに送信すること、
あるいは
x＞＝pの場合、前記マッピング関係に基づいて前記処理モジュールを使用して、前記ターゲットデータが送信される前記アップリンクチャネルが前記非フィードバックアップリンクチャネルであると決定すること、および
前記処理モジュールによって決定された前記非フィードバックアップリンクチャネルを使用して前記ターゲットデータを前記ネットワークデバイスに送信すること
を含む、請求項34に記載の端末デバイス。
【請求項３６】
前記送信モジュールが、前記受信モジュールによって受信された前記マッピング関係に基づいて前記ターゲットデータを前記ネットワークデバイスに送信するように構成されるということが、
前記選択条件が前記フィードバックアップリンクチャネルを選択するための前記端末デバイス参照属性である場合、前記処理モジュールを使用して前記端末デバイスの属性と前記参照属性とを比較すること、
前記端末デバイスの前記属性が前記参照属性に達した場合、前記受信モジュールによって受信された前記マッピング関係に基づいて前記処理モジュールを使用して、前記ターゲットデータが送信される前記アップリンクチャネルが前記フィードバックアップリンクチャネルであると決定すること、および
前記処理モジュールによって決定された前記フィードバックアップリンクチャネルを使用して前記ターゲットデータを前記ネットワークデバイスに送信すること、
あるいは
前記端末デバイスの前記属性が前記参照属性に達していない場合、前記マッピング関係に基づいて前記処理モジュールを使用して、前記ターゲットデータが送信される前記アップリンクチャネルが前記非フィードバックアップリンクチャネルであると決定すること、および
前記処理モジュールによって決定された前記非フィードバックアップリンクチャネルを使用して前記ターゲットデータを前記ネットワークデバイスに送信すること
を含む、請求項34に記載の端末デバイス。
【請求項３７】
前記受信モジュールが、ネットワークデバイスによって暗示的に通知されたマッピング関係を受信するように構成されるということは、
前記ネットワークデバイスによって送信されたブロードキャストメッセージを受信し、前記ブロードキャストメッセージは、前記ACK／NACKをフィードバックするための対応するPDCCHロケーションを含み、前記ブロードキャストメッセージは、前記ターゲットデータが指示識別子を搬送するかどうかと、前記ネットワークデバイスによって前記ACK／NACKをフィードバックするための前記指示情報との間のマッピング関係を搬送すること
を含む、請求項31に記載の端末デバイス。
【請求項３８】
前記送信モジュールが、前記受信モジュールによって受信された前記マッピング関係に基づいて前記ターゲットデータを前記ネットワークデバイスに送信するように構成されるということが、
前記端末デバイスの前記属性に基づいて前記処理モジュールを使用して、前記ACK／NACKフィードバックが必要であるかどうかを決定すること、
前記端末デバイスが前記ACK／NACKフィードバックを必要とする場合、前記マッピング関係に基づいて前記処理モジュールを使用して前記指示識別子を前記ターゲットデータに追加すること、および
前記指示識別子を搬送する前記ターゲットデータを前記ネットワークデバイスに送信すること、
あるいは
前記端末デバイスが前記ACK／NACKフィードバックを必要としない場合、前記マッピング関係に基づいて前記処理モジュールを使用して前記指示識別子を前記ターゲットデータに追加することをスキップすること、および
前記指示識別子を搬送しない前記ターゲットデータを前記ネットワークデバイスに送信すること
を含む、請求項36に記載の端末デバイス。
【請求項３９】
前記ブロードキャストメッセージが、前記ACK／NACKフィードバックをサポートする参照条件をさらに含み、前記参照条件は、前記ACK／NACKフィードバックをサポートする端末デバイス参照属性を含む、請求項37に記載の端末デバイス。
【請求項４０】
前記送信モジュールが、前記受信モジュールによって受信された前記マッピング関係に基づいて前記ターゲットデータを前記ネットワークデバイスに送信するように構成されるということが、
前記処理モジュールを使用して前記端末デバイスの属性と前記参照属性とを比較すること、
前記端末デバイスの前記属性が前記参照属性に達した場合、前記マッピング関係に基づいて前記処理モジュールを使用して前記指示識別子を前記ターゲットデータに追加すること、および
前記指示識別子を搬送する前記ターゲットデータを前記ネットワークデバイスに送信すること、
あるいは
前記端末デバイスの前記属性が前記参照属性に達していない場合、前記マッピング関係に基づいて前記処理モジュールを使用して前記指示識別子を前記ターゲットデータに追加することをスキップすること、および
前記指示識別子を搬送しない前記ターゲットデータを前記ネットワークデバイスに送信すること
を含む、請求項39に記載の端末デバイス。
【請求項４１】
プロセッサと、メモリと、バスとを備えたネットワークデバイスであって、
前記プロセッサは前記バスを使用して前記メモリに接続され、前記メモリはプログラムコードを格納するように構成され、前記プロセッサは前記プログラムコードを呼び出して、請求項1から10のいずれか一項に記載の方法を実行するように構成されている、
ネットワークデバイス。
【請求項４２】
プロセッサと、メモリと、バスとを備えた端末デバイスであって、
前記プロセッサは前記バスを使用して前記メモリに接続され、前記メモリはプログラムコードを格納するように構成され、前記プロセッサは前記プログラムコードを呼び出して、請求項11から20のいずれか一項に記載の方法を実行するように構成されている、
端末デバイス。
【発明の詳細な説明】
【技術分野】
【０００１】
本発明は移動通信技術の分野に関し、特に、無認可スペクトルのACK／NACKフィードバック方法および関連デバイスに関する。
【背景技術】
【０００２】
スペクトルは、通信デバイス間の無線通信を実施するために使用され、そのスペクトルは一般に2つのタイプ、すなわち認可（Licensed）スペクトルおよび無認可（Unlicensed）スペクトルに分類され得る。現在、SigFoxとLoRAに代表され、1GHz未満の無認可スペクトルを使用するプライベートアクセス技術が登場し、徐々に業界で注目を集めている。大規模端末は、将来、無認可スペクトル上で動作を実行する可能性がある。
【０００３】
無認可スペクトルを使用する場合、複数のシステムが無認可周波数帯域を共有するため、複数のシステム間で相互の信号干渉が発生する。通信デバイスが、無認可スペクトルを使用してスケジューリングベースの送信方法で通信を実行する場合、これはシステム間の相互信号干渉をある程度軽減することができる。しかしながら、スケジューリングベースの送信方法は、すべての端末デバイスに適用できるわけではない。ネットワークデバイスのカバレッジエリア内にあるが、ネットワークデバイスから遠く離れている端末デバイスの場合、比較的長距離であり、信号減衰が激しいため、ネットワークデバイスによって割り当てられたスペクトルリソースを端末デバイスが学習するように、ネットワークデバイスは、ダウンリンクチャネルを使用して端末デバイスへのスケジューリング命令を複数回送信する必要があり得る。このようにして、スケジューリングシグナリングオーバヘッドが増加し、無認可スペクトルにおけるスケジューリングベースの送信が妨害される可能性がある。したがって、競合ベースの送信方法は、無認可シナリオで使用される。
【０００４】
例えば、端末デバイスは競合ベースの方法でネットワークデバイスにアクセスする。端末デバイスによって送信されたターゲットデータパケットを受信した後、ネットワークデバイスはACK／NACKを端末デバイスに返す。ダウンリンクチャネルリソースが限られていることを考慮すると、ネットワークデバイスは、場合によってはネットワークデバイスがターゲットデータパケットを正常に受信したとしても、適時にACK／NACKを端末デバイスに返すことができない。これにより、ネットワークデバイスのキャッシュが蓄積される。また、将来のモノのインターネット（Internet of Things、IOT）端末の数は多く、ACK／NACKを返すためのオーバヘッドが大きい。
【０００５】
したがって、ダウンリンクチャネルリソースが制限されているときにネットワークデバイスキャッシュの蓄積を軽減し、シグナリングオーバヘッドを減らすための方法が緊急に必要とされている。
【発明の概要】
【課題を解決するための手段】
【０００６】
本発明の実施形態は、ネットワークデバイスによるACK／NACKの早すぎる返送によるネットワークデバイスキャッシュ蓄積の問題、およびネットワークデバイスによりACK／NACKを返送するための大きなオーバヘッドの問題を解決するための、無認可スペクトルのACK／NACKフィードバック方法および関連デバイスを提供する。
【０００７】
第1の態様によれば、本発明の一実施形態は無認可スペクトルのACK／NACKフィードバック方法を提供し、この方法は、ネットワークデバイスによって、マッピング関係を端末デバイスに明示的または暗示的に通知するステップと、ネットワークデバイスによって、端末デバイスによって送信されたターゲットデータを受信するステップと、ネットワークデバイスによって、ターゲットデータに関する情報およびマッピング関係に基づいて対応する指示情報を決定するステップと、ネットワークデバイスによって、ACK／NACKをフィードバックすることを決定するための指示情報に基づいてACK／NACKを端末デバイスにフィードバックするステップと、を含む。
【０００８】
マッピング関係は、端末デバイスによって送信されたターゲットデータに関する情報と、ネットワークデバイスによって肯定応答ACK／否定応答NACKをフィードバックするための指示情報との間のマッピング関係を含む。
【０００９】
本発明のこの実施形態では、ネットワークデバイスがアップリンクチャネルをconfirmedアップリンクチャネルとunconfirmedアップリンクチャネルとに分類するとき、端末デバイスは、ターゲットデータが送信されるアップリンクチャネルのタイプとネットワークデバイスによってACK／NACKをフィードバックするための指示情報と間のマッピング関係に基づいてターゲットデータをネットワークデバイスに送信することができる。ネットワークデバイスは、ターゲットデータが送信されるアップリンクチャネルのタイプおよびマッピング関係に基づいて対応する指示情報を決定し、その指示情報に基づいて、ネットワークデバイスがACK／NACKを端末デバイスにフィードバックする必要があるかどうかを決定することができる。あるいは、ネットワークデバイスがアップリンクチャネルを分類しないとき、端末デバイスは、ターゲットデータが、指示識別子を搬送するかどうかと、ネットワークデバイスによってACK／NACKをフィードバックするための指示情報との間のマッピング関係に基づいてターゲットデータをネットワークデバイスに送信することができる。ネットワークデバイスは、マッピング関係に基づいてかつターゲットデータが指示識別子を搬送するかどうかに基づいて対応する指示情報を決定し、指示情報に基づいてネットワークデバイスがACK／NACKを端末デバイスにフィードバックする必要があるかどうかを決定することができる。
【００１０】
ダウンリンクチャネルリソースが制限されているとき、ネットワークデバイスは、ネットワークデバイスによるACK／NACKの早すぎる返送によるネットワークデバイスキャッシュ蓄積の問題、およびネットワークデバイスによってACK／NACKを返すための大きなオーバヘッドの問題を解決するために、前述の方法を使用してACK／NACKを端末デバイスに選択的にフィードバックすることができる。
【００１１】
任意選択で、ネットワークデバイスによって、ターゲットデータに関する情報とマッピング関係とに基づいて対応する指示情報を決定するステップは、ネットワークデバイスによって、ターゲットデータが送信されるアップリンクチャネルのタイプを決定するステップと、ネットワークデバイスによって、ターゲットデータが送信されるアップリンクチャネルのタイプおよびマッピング関係に基づいて対応する指示情報を決定するステップと、を含み、
アップリンクチャネルタイプは、フィードバックアップリンクチャネルと非フィードバックアップリンクチャネルとを含む。
【００１２】
本発明のこの実施形態では、ネットワークデバイスがアップリンクチャネルをconfirmedアップリンクチャネルとunconfirmedアップリンクチャネルとに分類する場合、端末デバイスによって送信されたターゲットデータを受信した後に、ネットワークデバイスは、ターゲットデータが送信されるアップリンクチャネルのタイプおよびマッピング関係に基づいて対応する指示情報を決定することができる。
【００１３】
任意選択で、ネットワークデバイスによって、ターゲットデータが送信されるアップリンクチャネルのタイプおよびマッピング関係に基づいて対応する指示情報を決定するステップは、ターゲットデータがフィードバックアップリンクチャネル上で送信される場合、マッピング関係に基づいてネットワークデバイスによって、指示情報がACK／NACKを端末デバイスにフィードバックしていると決定するステップ、あるいは
ターゲットデータが非フィードバックアップリンクチャネル上で送信される場合、マッピング関係に基づいてネットワークデバイスによって、指示情報がACK／NACKを端末デバイスにフィードバックしていないと決定するステップ、を含む。
【００１４】
本発明のこの実施形態では、端末デバイスがconfirmedアップリンクチャネルを使用してターゲットデータを送信する場合、ネットワークデバイスは、ターゲットデータを受信した後にACK／NACKをターゲットデータに対応する端末デバイスにフィードバックする必要があることを示す、あるいは、端末デバイスがunconfirmedアップリンクチャネルを使用してターゲットデータを送信する場合、ネットワークデバイスは、ターゲットデータを受信した後、ターゲットデータに対応する端末デバイスにACK／NACKをフィードバックする必要がないことを示す。
【００１５】
2つの分類されたチャネルおよび使用方法をブロードキャストメッセージに追加することは、リソース選択およびアクセス制御を容易にし、ACK／NACKを確実にし、ネットワークデバイスが処理を実行するのを助け、PDCCHオーバヘッドを減らす。
【００１６】
任意選択で、ネットワークデバイスによって、マッピング関係を端末デバイスに明示的に通知するステップは、ネットワークデバイスによって、ブロードキャストメッセージを端末デバイスに送信するステップを含み、
ブロードキャストメッセージは、アップリンクチャネルタイプと、フィードバックアップリンクチャネルに対応する物理ダウンリンク制御チャネルPDCCHロケーションとを含み、ブロードキャストメッセージは、ターゲットデータが送信されるアップリンクチャネルのタイプと、ネットワークデバイスによってACK／NACKをフィードバックするための指示情報との間のマッピング関係を搬送する。
【００１７】
本発明のこの実施形態では、ネットワークデバイスがアップリンクチャネルをconfirmedアップリンクチャネルとunconfirmedアップリンクチャネルとに分類する場合、ターゲットデータが送信されるアップリンクチャネルのタイプと、ネットワークデバイスによってACK／NACKをフィードバックするための指示情報との間のマッピング関係は明示的なマッピング関係である。言い換えれば、ネットワークデバイスは、ターゲットデータが送信されるどのアップリンクチャネル（例えば、confirmedアップリンクチャネル）がACK／NACKをフィードバックするために対応するか、および、ターゲットデータが送信されるどのアップリンクチャネル（例えば、unconfirmedアップリンクチャネル）がACK／NACKをフィードバックしないために対応するかを端末デバイスに通知した。
【００１８】
さらに、ネットワークデバイスは、アップリンクチャネルをconfirmedアップリンクチャネルとunconfirmedアップリンクチャネルとに分類し、2つの分類されたチャネルと使用方法とをブロードキャストメッセージに追加する。これは、アップリンクチャネルリソースを選択し、アクセスされた端末デバイスを制御するのを助け、ネットワークデバイスの安定した動作を保証する。
【００１９】
任意選択で、ブロードキャストメッセージは、フィードバックアップリンクチャネルの選択条件をさらに含み、選択条件は、フィードバックアップリンクチャネルを選択する確率pまたはフィードバックアップリンクチャネルを選択するための端末デバイス参照属性を含む。
【００２０】
本発明のこの実施形態では、端末デバイスによるconfirmedアップリンクチャネルおよびunconfirmedアップリンクチャネルの選択のために、ネットワークデバイスは、対応するルール、例えば端末デバイスによりconfirmedアップリンクチャネルを選択する確率p、または、confirmedアップリンクチャネルを選択するために必要とされる端末デバイス属性（例えば、QoSクラス識別子QCIや変調および符号化方式MCS）を設定し得る。確かに、端末デバイスはアップリンクチャネルをどのように選択するかを自発的に決定し得る。例えば、端末デバイスは、端末デバイスの属性に基づいて、ACK／NACKフィードバックが必要かどうかを決定する。これは本明細書において特に限定されない。
【００２１】
端末デバイスがアップリンクチャネルをどのように選択するかを自発的に決定することができる場合、ブロードキャストメッセージは、フィードバックアップリンクチャネルの選択条件を含まなくてもよいことに留意されたい。
【００２２】
任意選択で、ネットワークデバイスによって、ターゲットデータに関する情報およびマッピング関係に基づいて対応する指示情報を決定するステップは、ネットワークデバイスによって、ターゲットデータが指示識別子を搬送するかどうかを決定するステップと、ネットワークデバイスによって、マッピング関係に基づいてかつターゲットデータが指示識別子を搬送するかどうかに基づいて、対応する指示情報を決定するステップと、を含む。
【００２３】
本発明のこの実施形態では、ネットワークデバイスがアップリンクチャネルを分類しない場合、端末デバイスによって送信されたターゲットデータを受信した後に、ネットワークデバイスは、マッピング関係に基づいてかつターゲットデータが指示識別子を搬送するかどうかに基づいて、対応する指示情報を決定することができる。
【００２４】
任意選択で、ネットワークデバイスによって、マッピング関係に基づいてかつターゲットデータが指示識別子を搬送するかどうかに基づいて、対応する指示情報を決定するステップは、ターゲットデータが指示識別子を搬送する場合、マッピング関係に基づいてネットワークデバイスによって、指示情報がACK／NACKを端末デバイスにフィードバックしていると決定するステップ、あるいは
ターゲットデータが指示識別子を搬送しない場合、マッピング関係に基づいてネットワークデバイスによって、指示情報がACK／NACKを端末デバイスにフィードバックしていないと決定するステップを含む。
【００２５】
本発明のこの実施形態では、端末デバイスが1bitのフラグ指示識別子をターゲットデータパケットヘッダに付加する場合、それはターゲットデータを受信した後、ネットワークデバイスがACK／NACKを端末デバイスにフィードバックする必要があることを示す、あるいは、端末デバイスが1bitのフラグをターゲットデータパケットヘッダに付加しない場合、それはターゲットデータを受信した後、ネットワークデバイスが端末デバイスにACK／NACKをフィードバックする必要がないことを示す。
【００２６】
ネットワークデバイスは、端末デバイスによって送信されたターゲットデータが指示識別子を搬送するかどうかに基づいて、ACKフィードバックが必要であるかどうかを学習することができる。これは、ネットワークデバイスが処理を実行するのを助け、PDCCHのオーバヘッドを減らす。
【００２７】
任意選択で、指示識別子は、ターゲットデータのパケットヘッダ内に位置するビットbitフラグ、例えば1bitまたは2bitであり、これは本明細書では特に限定されない。
【００２８】
任意選択で、ネットワークデバイスによって、端末デバイスにマッピング関係を暗示的に通知するステップは、ネットワークデバイスによって、端末デバイスにブロードキャストメッセージを送信するステップを含み、
ブロードキャストメッセージは、ACK／NACKをフィードバックするための対応するPDCCHロケーションを含み、ブロードキャストメッセージは、ターゲットデータが指示識別子を搬送するかどうかと、ネットワークデバイスによってACK／NACKをフィードバックするための指示情報との間のマッピング関係を搬送する。
【００２９】
本発明のこの実施形態では、ネットワークデバイスがアップリンクチャネルを分類しない場合、ターゲットデータが指示識別子を搬送するかどうかとネットワークデバイスによってACK／NACKをフィードバックするための指示情報との間のマッピング関係は、暗黙のマッピング関係である。言い換えれば、ネットワークデバイスは、どのターゲットデータがACK／NACKをフィードバックするために対応するのかを端末デバイスに通知せず、端末デバイスは、指示識別子をターゲットデータに追加して、ACK／NACKをフィードバックするようにネットワークデバイスに指示する。
【００３０】
任意選択で、ブロードキャストメッセージは、ACK／NACKフィードバックをサポートする参照条件をさらに含むことができ、参照条件は、ACK／NACKフィードバックをサポートする端末デバイス参照属性を含む。
【００３１】
本発明のこの実施形態では、ネットワークデバイスがアップリンクチャネルを分類しないとき、ブロードキャストメッセージは、ACK／NACKをフィードバックするための対応するPDCCHロケーションと、ACK／NACKフィードバックをサポートする参照条件とを含み得、参照条件はACK／NACKフィードバックをサポートする端末デバイス参照属性を含む。
【００３２】
端末デバイスがアップリンクチャネルをどのように選択するかを自発的に決定することができる場合、ブロードキャストメッセージは、ACK／NACKフィードバックをサポートする参照条件を含まないことがあることに留意されたい。
【００３３】
第2の態様によれば、本発明の一実施形態は、無認可スペクトルのACK／NACKフィードバック方法を提供し、この方法は、端末デバイスによって、ネットワークデバイスにより明示的または暗示的に通知されたマッピング関係を受信するステップと、端末デバイスによって、マッピング関係に基づいてターゲットデータをネットワークデバイスに送信するステップと、端末デバイスによって、ターゲットデータに関する情報およびマッピング関係に基づいて対応する指示情報を決定するステップと、端末デバイスによって、ACK／NACKをフィードバックすることを決定するための指示情報に基づいて、ネットワークデバイスによりフィードバックされたACK／NACKを監視するステップと、を含む。
【００３４】
マッピング関係は、端末デバイスによって送信されたターゲットデータに関する情報と、ネットワークデバイスによってACK／NACKをフィードバックするための指示情報との間のマッピング関係を含む。
【００３５】
本発明のこの実施形態では、ネットワークデバイスがアップリンクチャネルをconfirmedアップリンクチャネルとunconfirmedアップリンクチャネルとに分類する場合、端末デバイスは、ネットワークデバイスによって設定された選択条件に基づいて、ターゲットデータが送信されるアップリンクチャネルのタイプを自発的に決定または決定し、決定されたアップリンクチャネルを使用してターゲットデータをネットワークデバイスに送信することができる。ネットワークデバイスは、ターゲットデータが送信されるアップリンクチャネルのタイプおよびマッピング関係に基づいて対応する指示情報を決定し、その指示情報に基づいて、ネットワークデバイスがACK／NACKを端末デバイスにフィードバックする必要があるかどうかを決定することができる。ネットワークデバイスがアップリンクチャネルを分類しない場合、端末デバイスは、ACK／NACKフィードバックをサポートしかつネットワークデバイスによって設定された参照条件に基づいて、ターゲットデータが指示識別子を搬送するかどうかを自発的に決定または決定し、ターゲットデータをネットワークデバイスに送信することができる。ネットワークデバイスは、マッピング関係に基づいてかつターゲットデータが指示識別子を搬送するかどうかに基づいて対応する指示情報を決定し、指示情報に基づいてネットワークデバイスがACK／NACKを端末デバイスにフィードバックする必要があるかどうかを決定することができる。
【００３６】
任意選択で、端末デバイスによって、ネットワークデバイスにより明示的に通知されたマッピング関係を受信するステップは、端末デバイスによって、ネットワークデバイスにより送信されたブロードキャストメッセージを受信するステップを含み、ブロードキャストメッセージはアップリンクチャネルタイプおよびフィードバックアップリンクチャネルに対応するPDCCHロケーションを含み、アップリンクチャネルタイプは、フィードバックアップリンクチャネルと非フィードバックアップリンクチャネルとを含み、ブロードキャストメッセージは、ターゲットデータが送信されるアップリンクチャネルのタイプとネットワークデバイスによってACK／NACKをフィードバックするための指示情報との間のマッピング関係を搬送する。
【００３７】
任意選択で、端末デバイスによって、マッピング関係に基づいてターゲットデータをネットワークデバイスに送信するステップは：端末デバイスによって、ACK／NACKフィードバックが必要であるかどうかを端末デバイスの属性に基づいて決定するステップと；端末デバイスがACK／NACKフィードバックを必要とする場合、マッピング関係に基づいて端末デバイスによって、ターゲットデータが送信されるアップリンクチャネルがフィードバックアップリンクチャネルであると決定するステップと；端末デバイスによって、フィードバックアップリンクチャネルを使用してターゲットデータをネットワークデバイスに送信するステップと；
あるいは
端末デバイスがACK／NACKフィードバックを必要としない場合、マッピング関係に基づいて端末デバイスによって、ターゲットデータが送信されるアップリンクチャネルが非フィードバックアップリンクチャネルであると決定するステップと；端末デバイスによって、非フィードバックアップリンクチャネルを使用してターゲットデータをネットワークデバイスに送信するステップと、を含む。
【００３８】
任意選択で、ブロードキャストメッセージは、フィードバックアップリンクチャネルの選択条件をさらに含んでもよく、選択条件は、フィードバックアップリンクチャネルを選択する確率pまたはフィードバックアップリンクチャネルを選択するための端末デバイス参照属性を含む。
【００３９】
任意選択で、端末デバイスによって、マッピング関係に基づいてターゲットデータをネットワークデバイスに送信するステップは：
選択条件が、フィードバックアップリンクチャネルを選択するpである場合、端末デバイスによって、［0，1］から値xをランダムに選択するステップと；端末デバイスによって、xをpと比較するステップと；x＜pの場合、マッピング関係に基づいて端末デバイスによって、ターゲットデータが送信されるアップリンクチャネルがフィードバックアップリンクチャネルであると決定するステップと；端末デバイスによって、フィードバックアップリンクチャネルを使用して、ターゲットデータをネットワークデバイスに送信するステップと；
あるいは
x＞＝pの場合、マッピング関係に基づいて端末デバイスによって、ターゲットデータが送信されるアップリンクチャネルが非フィードバックアップリンクチャネルであると決定するステップと；端末デバイスによって、非フィードバックアップリンクチャネルを使用してターゲットデータをネットワークデバイスに送信するステップと、を含む。
【００４０】
任意選択で、端末デバイスによって、マッピング関係に基づいてターゲットデータをネットワークデバイスに送信するステップは：選択条件がフィードバックアップリンクチャネルを選択するための端末デバイス参照属性である場合、端末デバイスによって、端末デバイスの属性と参照属性とを比較するステップと；端末デバイスの属性が参照属性に達した場合、マッピング関係に基づいて端末デバイスによって、ターゲットデータが送信されるアップリンクチャネルがフィードバックアップリンクチャネルであると決定するステップと；端末デバイスによって、フィードバックアップリンクチャネルを使用してターゲットデータをネットワークデバイスに送信するステップと；
あるいは
端末デバイスの属性が参照属性に達していない場合、マッピング関係に基づいて端末デバイスによって、ターゲットデータが送信されるアップリンクチャネルが非フィードバックアップリンクチャネルであると決定するステップと；端末デバイスによって、非フィードバックアップリンクチャネルを使用してターゲットデータをネットワークデバイスに送信するステップと、を含む。
【００４１】
任意選択で、端末デバイスによって、ネットワークデバイスによって暗示的に通知されたマッピング関係を受信するステップは、端末デバイスによって、ネットワークデバイスにより送信されたブロードキャストメッセージを受信するステップを含み、ブロードキャストメッセージは、ACK／NACKをフィードバックするための対応するPDCCHロケーションを含み、ブロードキャストメッセージは、ターゲットデータが指示識別子を搬送するかどうかと、ネットワークデバイスによってACK／NACKをフィードバックするための指示情報との間のマッピング関係を搬送する。
【００４２】
任意選択で、端末デバイスによって、マッピング関係に基づいてターゲットデータをネットワークデバイスに送信するステップは：端末デバイスの属性に基づいて端末デバイスによってACK／NACKフィードバックが必要であるかどうかを決定するステップと；端末デバイスがACK／NACKフィードバックを必要とする場合、端末デバイスによって、マッピング関係に基づいて指示識別子をターゲットデータに追加するステップと；端末デバイスによって、指示識別子を搬送するターゲットデータをネットワークデバイスに送信するステップと；
あるいは
端末デバイスがACK／NACKフィードバックを必要としない場合、端末デバイスによって、マッピング関係に基づいて指示識別子をターゲットデータに追加することをスキップするステップと；端末デバイスによって、指示識別子を搬送しないターゲットデータをネットワークデバイスに送信するステップと、を含む。
【００４３】
任意選択で、ブロードキャストメッセージは、ACK／NACKフィードバックをサポートする参照条件をさらに含むことができ、参照条件は、ACK／NACKフィードバックをサポートする端末デバイス参照属性を含む。
【００４４】
任意選択で、端末デバイスによって、マッピング関係に基づいてターゲットデータをネットワークデバイスに送信するステップは：端末デバイスによって、端末デバイスの属性と参照属性とを比較するステップと；端末デバイスの属性が参照属性に達した場合、端末デバイスによって、マッピング関係に基づいて指示識別子をターゲットデータに追加するステップと；端末デバイスによって、指示識別子を搬送するターゲットデータをネットワークデバイスに送信するステップと；
あるいは
端末デバイスの属性が参照属性に達していない場合、端末デバイスによって、マッピング関係に基づいて指示識別子をターゲットデータに追加することをスキップするステップと；端末デバイスによって、指示識別子を搬送しないターゲットデータをネットワークデバイスに送信するステップと、を含む。
【００４５】
第3の態様によれば、本発明の一実施形態は、ネットワークデバイスを提供し、このネットワークデバイスは、
マッピング関係を端末デバイスに明示的または暗示的に通知するように構成された送信モジュールであって、マッピング関係は端末デバイスによって送信されたターゲットデータに関する情報とネットワークデバイスによってACK／NACKをフィードバックするための指示情報との間のマッピング関係を含む、送信モジュールと、
端末デバイスによって送信されたターゲットデータを受信するように構成された受信モジュールと、
受信モジュールによって受信されたターゲットデータに関する情報およびマッピング関係に基づいて対応する指示情報を決定するように構成された処理モジュールと
を備える。
【００４６】
送信モジュールは、ACK／NACKをフィードバックすることを決定するためのものでありかつ処理モジュールによって実行された処理の後に取得される指示情報に基づいて、ACK／NACKを端末デバイスにフィードバックするようにさらに構成される。
【００４７】
任意選択で、処理モジュールが、受信モジュールによって受信されたターゲットデータに関する情報およびマッピング関係に基づいて対応する指示情報を決定するように構成されるということは、
受信モジュールによって受信されたターゲットデータが送信されるアップリンクチャネルのタイプを決定し、アップリンクチャネルタイプは、フィードバックアップリンクチャネルおよび非フィードバックアップリンクチャネルを含むこと、および
受信モジュールによって受信されたターゲットデータが送信されるアップリンクチャネルのタイプおよびマッピング関係に基づいて対応する指示情報を決定すること
を含む。
【００４８】
任意選択で、処理モジュールが、受信モジュールによって受信されたターゲットデータが送信されるアップリンクチャネルのタイプおよびマッピング関係に基づいて対応する指示情報を決定するように構成されるということは、
ターゲットデータがフィードバックアップリンクチャネル上で送信される場合、マッピング関係に基づいて、指示情報がACK／NACKを端末デバイスにフィードバックしていると決定すること、あるいは
ターゲットデータが非フィードバックアップリンクチャネル上で送信される場合、マッピング関係に基づいて、指示情報がACK／NACKを端末デバイスにフィードバックしていないと決定すること
を含む。
【００４９】
任意選択で、送信モジュールが端末デバイスにマッピング関係を明示的に通知するように構成されるということは、
ブロードキャストメッセージを端末デバイスに送信し、ブロードキャストメッセージは、アップリンクチャネルタイプと、フィードバックアップリンクチャネルに対応する物理ダウンリンク制御チャネルPDCCHロケーションとを含み、ブロードキャストメッセージは、ターゲットデータが送信されるアップリンクチャネルのタイプと、ネットワークデバイスによってACK／NACKをフィードバックするための指示情報との間のマッピング関係を搬送すること
を含む。
【００５０】
任意選択で、ブロードキャストメッセージは、フィードバックアップリンクチャネルの選択条件をさらに含み、選択条件は、フィードバックアップリンクチャネルを選択する確率pまたはフィードバックアップリンクチャネルを選択するための端末デバイス参照属性を含む。
【００５１】
任意選択で、処理モジュールが、受信モジュールによって受信されたターゲットデータに関する情報およびマッピング関係に基づいて対応する指示情報を決定するように構成されるということは、
ターゲットデータが指示識別子を搬送するかどうかを決定すること、および
マッピング関係に基づいてかつターゲットデータが指示識別子を搬送するかどうかに基づいて、対応する指示情報を決定すること
を含む。
【００５２】
任意選択で、処理モジュールは、マッピング関係に基づいてかつターゲットデータが指示識別子を搬送するかどうかに基づいて、対応する指示情報を決定するように構成されるということは、
ターゲットデータが指示識別子を搬送する場合、マッピング関係に基づいて、指示情報がACK／NACKを端末デバイスにフィードバックしていると決定すること、あるいは
ターゲットデータが指示識別子を搬送しない場合、マッピング関係に基づいて、指示情報がACK／NACKを端末デバイスにフィードバックしていないと決定すること
を含む。
【００５３】
任意選択で、指示識別子は、ターゲットデータのパケットヘッダ内に位置するビットbitフラグである。
【００５４】
任意選択で、送信モジュールがマッピング関係を端末デバイスに暗示的に通知するように構成されるということは、
端末デバイスにブロードキャストメッセージを送信し、ブロードキャストメッセージは、ACK／NACKをフィードバックするための対応するPDCCHロケーションを含み、ブロードキャストメッセージは、ターゲットデータが指示識別子を搬送するかどうかと、ネットワークデバイスによってACK／NACKをフィードバックするための指示情報との間のマッピング関係を搬送すること
を含む。
【００５５】
任意選択で、ブロードキャストメッセージは、ACK／NACKフィードバックをサポートする参照条件をさらに含み、参照条件は、ACK／NACKフィードバックをサポートする端末デバイス参照属性を含む。
【００５６】
第4の態様によれば、本発明の一実施形態は、端末デバイスを提供し、この端末デバイスは、
ネットワークデバイスによって明示的または暗示的に通知されたマッピング関係を受信するように構成された受信モジュールであって、マッピング関係は、端末デバイスによって送信されたターゲットデータに関する情報と、ネットワークデバイスによってACK／NACKをフィードバックするための指示情報との間のマッピング関係を含む、受信モジュールと、
受信モジュールによって受信されたマッピング関係に基づいてターゲットデータをネットワークデバイスに送信するように構成された送信モジュールと、
送信モジュールによって送信されたターゲットデータに関する情報と、受信モジュールによって受信されたマッピング関係とに基づいて、対応する指示情報を決定し、ACK／NACKをフィードバックすることを決定するための指示情報に基づいて、ネットワークデバイスによってフィードバックされたACK／NACKをさらに監視するように構成された処理モジュールと、
を含む。
【００５７】
任意選択で、受信モジュールが、ネットワークデバイスによって明示的に通知されたマッピング関係を受信するように構成されるということは、
ネットワークデバイスにより送信されたブロードキャストメッセージを受信し、ブロードキャストメッセージはアップリンクチャネルタイプおよびフィードバックアップリンクチャネルに対応するPDCCHロケーションを含み、アップリンクチャネルタイプは、フィードバックアップリンクチャネルと非フィードバックアップリンクチャネルとを含み、ブロードキャストメッセージは、ターゲットデータが送信されるアップリンクチャネルのタイプとネットワークデバイスによってACK／NACKをフィードバックするための指示情報との間のマッピング関係を搬送すること
を含む。
【００５８】
任意選択で、送信モジュールが、受信モジュールによって受信されたマッピング関係に基づいてターゲットデータをネットワークデバイスに送信するように構成されるということは：
端末デバイスの属性に基づいて処理モジュールを使用して、ACK／NACKフィードバックが必要であるかどうかを決定すること；
端末デバイスがACK／NACKフィードバックを必要とする場合、受信モジュールによって受信されたマッピング関係に基づいて処理モジュールを使用して、ターゲットデータが送信されるアップリンクチャネルがフィードバックアップリンクチャネルであると決定すること；および
処理モジュールによって決定されたフィードバックアップリンクチャネルを使用して、ターゲットデータをネットワークデバイスに送信すること；
あるいは
端末デバイスがACK／NACKフィードバックを必要としない場合、受信モジュールによって受信されたマッピング関係に基づいて処理モジュールを使用して、ターゲットデータが送信されるアップリンクチャネルが非フィードバックアップリンクチャネルであると決定すること；および
処理モジュールによって決定された非フィードバックアップリンクチャネルを使用してターゲットデータをネットワークデバイスに送信すること
を含む。
【００５９】
任意選択で、ブロードキャストメッセージは、フィードバックアップリンクチャネルの選択条件をさらに含み、選択条件は、フィードバックアップリンクチャネルを選択する確率pまたはフィードバックアップリンクチャネルを選択するための端末デバイス参照属性を含む。
【００６０】
任意選択で、送信モジュールが、受信モジュールによって受信されたマッピング関係に基づいてターゲットデータをネットワークデバイスに送信するように構成されるということは：
選択条件がフィードバックアップリンクチャネルを選択するpである場合、処理モジュールを使用して［0，1］から値xをランダムに選択すること；
処理モジュールを使用してxをpと比較すること；
x＜pである場合、受信モジュールによって受信されたマッピング関係に基づいて処理モジュールを使用して、ターゲットデータが送信されるアップリンクチャネルがフィードバックアップリンクチャネルであると決定すること；および
処理モジュールによって決定されたフィードバックアップリンクチャネルを使用してターゲットデータをネットワークデバイスに送信すること；
あるいは
x＞＝pの場合、マッピング関係に基づいて処理モジュールを使用して、ターゲットデータが送信されるアップリンクチャネルが非フィードバックアップリンクチャネルであると決定すること；および
処理モジュールによって決定された非フィードバックアップリンクチャネルを使用してターゲットデータをネットワークデバイスに送信すること
を含む。
【００６１】
任意選択で、送信モジュールが、受信モジュールによって受信されたマッピング関係に基づいてターゲットデータをネットワークデバイスに送信するように構成されるということは：
選択条件がフィードバックアップリンクチャネルを選択するための端末デバイス参照属性である場合、処理モジュールを使用して端末デバイスの属性と参照属性とを比較すること；
端末デバイスの属性が参照属性に達した場合、受信モジュールによって受信されたマッピング関係に基づいて処理モジュールを使用して、ターゲットデータが送信されるアップリンクチャネルがフィードバックアップリンクチャネルであると決定すること；および
処理モジュールによって決定されたフィードバックアップリンクチャネルを使用してターゲットデータをネットワークデバイスに送信すること；
あるいは
端末デバイスの属性が参照属性に達していない場合、マッピング関係に基づいて処理モジュールを使用して、ターゲットデータが送信されるアップリンクチャネルが非フィードバックアップリンクチャネルであると決定すること；および
処理モジュールによって決定された非フィードバックアップリンクチャネルを使用してターゲットデータをネットワークデバイスに送信すること
を含む。
【００６２】
任意選択で、受信モジュールが、ネットワークデバイスによって暗示的に通知されたマッピング関係を受信するように構成されるということは、
ネットワークデバイスによって送信されたブロードキャストメッセージを受信し、ブロードキャストメッセージは、ACK／NACKをフィードバックするための対応するPDCCHロケーションを含み、ブロードキャストメッセージは、ターゲットデータが指示識別子を搬送するかどうかと、ネットワークデバイスによってACK／NACKをフィードバックするための指示情報との間のマッピング関係を搬送すること
を含む。
【００６３】
任意選択で、送信モジュールが、受信モジュールによって受信されたマッピング関係に基づいてターゲットデータをネットワークデバイスに送信するように構成されるということは：
端末デバイスの属性に基づいて処理モジュールを使用して、ACK／NACKフィードバックが必要であるかどうかを決定すること；
端末デバイスがACK／NACKフィードバックを必要とする場合、マッピング関係に基づいて処理モジュールを使用して指示識別子をターゲットデータに追加すること；および
指示識別子を搬送するターゲットデータをネットワークデバイスに送信すること；
あるいは
端末デバイスがACK／NACKフィードバックを必要としない場合、マッピング関係に基づいて処理モジュールを使用して指示識別子をターゲットデータに追加することをスキップすること；および
指示識別子を搬送しないターゲットデータをネットワークデバイスに送信すること
を含む。
【００６４】
任意選択で、ブロードキャストメッセージは、ACK／NACKフィードバックをサポートする参照条件をさらに含み、参照条件は、ACK／NACKフィードバックをサポートする端末デバイス参照属性を含む。
【００６５】
任意選択で、送信モジュールが、受信モジュールによって受信されたマッピング関係に基づいてターゲットデータをネットワークデバイスに送信するように構成されるということは：
処理モジュールを使用して端末デバイスの属性と参照属性とを比較すること；
端末デバイスの属性が参照属性に達した場合、マッピング関係に基づいて処理モジュールを使用して指示識別子をターゲットデータに追加すること、および
指示識別子を搬送するターゲットデータをネットワークデバイスに送信すること；
あるいは
端末デバイスの属性が参照属性に達していない場合、マッピング関係に基づいて処理モジュールを使用して指示識別子をターゲットデータに追加することをスキップすること；および
指示識別子を搬送しないターゲットデータをネットワークデバイスに送信すること
を含む。
【００６６】
第5の態様によれば、本発明の一実施形態は、プロセッサと、メモリと、バスとを含むネットワークデバイスを提供し、
プロセッサはバスを使用してメモリに接続され、メモリはプログラムコードを格納するように構成され、プロセッサはプログラムコードを呼び出して第1の態様の任意の可能な実施態様による方法を実行するように構成される。
【００６７】
第6の態様によれば、本発明の一実施形態は、プロセッサと、メモリと、バスとを含む端末デバイスを提供し、
プロセッサはバスを使用してメモリに接続され、メモリはプログラムコードを格納するように構成され、プロセッサはプログラムコードを呼び出して第2の態様の任意の可能な実施態様による方法を実行するように構成される。
【００６８】
本発明の実施形態で提供される技術的解決策では、ネットワークデバイスは、端末デバイスによって送信されたターゲットデータに関する情報と、ネットワークデバイスによってACK／NACKをフィードバックするための指示情報との間のマッピング関係を端末デバイスに明示的または暗示的に通知する。ターゲットデータを受信した後、ネットワークデバイスは、ターゲットデータに基づいて対応する指示情報を決定し、ACK／NACKをフィードバックすることを決定するための指示情報に基づいて端末デバイスにACK／NACKをフィードバックする。したがって、従来技術と比較して、本発明の実施形態では、ネットワークデバイスによるACK／NACKの早すぎる返送によるキャッシュ蓄積問題が効果的に回避され、ネットワークデバイスによりACK／NACKを返送するためのオーバヘッドが削減される。
【図面の簡単な説明】
【００６９】
【図１】本発明の一実施形態による無認可スペクトルのACK／NACKフィードバック方法の一実施形態のシステム構成図である。
【図２】本発明の一実施形態によるセルラベースのNB−cIoT（Narrowband Cellular Internet of Things）のスケジューリングベースの送信のフローチャートである。
【図３】本発明の一実施形態による無認可スペクトルのACK／NACKフィードバック方法の一実施形態のフローチャートである。
【図４】本発明の一実施形態による無認可スペクトルのACK／NACKフィードバック方法の別の実施形態のフローチャートである。
【図５】本発明の一実施形態による無認可スペクトルのACK／NACKフィードバック方法の別の実施形態のフローチャートである。
【図６】本発明の一実施形態による無認可スペクトルのACK／NACKフィードバック方法の別の実施形態のフローチャートである。
【図７】本発明の一実施形態による無認可スペクトルのACK／NACKフィードバック方法の別の実施形態のフローチャートである。
【図８】本発明の一実施形態による無認可スペクトルのACK／NACKフィードバック方法の別の実施形態のフローチャートである。
【図９】本発明の一実施形態によるネットワークデバイスの一実施形態におけるモジュールのブロック図である。
【図１０】本発明の一実施形態による端末デバイスの一実施形態におけるモジュールのブロック図である。
【図１１】本発明の一実施形態によるネットワークデバイスの一実施形態におけるハードウェアのブロック図である。
【図１２】本発明の一実施形態による端末デバイスの一実施形態におけるハードウェアのブロック図である。
【発明を実施するための形態】
【００７０】
本発明の実施形態における技術的解決策を、本発明の実施形態における添付図面を参照して、明確かつ完全に以下に説明する。明らかに、説明される実施形態は、本発明の実施形態のすべてではなく、一部である。創造的な取り組みをすることなく、本発明の実施形態に基づいて当業者によって得られる他のすべての実施形態は、本発明の保護範囲内に含まれるものとする。
【００７１】
本発明の明細書、特許請求の範囲、および添付図面において、「第1」、「第2」、「第3」、「第4」等（もしあれば）の用語は類似のオブジェクトを区別することを意図しているが、必ずしも特定の順序または配列を示すものではない。そのように言及されたターゲットデータは、本明細書に記載された実施形態が、本明細書に図示または記載された順序とは異なる順序で実施され得るように、適切な状況において交換可能であることを理解されたい。さらに、用語「含む（include、contain）」および任意の他の変形は、非排他的な包含をカバーすることを意味し、例えば、ステップまたはユニットの列挙を含むプロセス、方法、システム、製品、またはデバイスが、それらの明確に列挙されたステップまたはユニットに必ずしも限定されないが、そのようなプロセス、方法、システム、製品、またはデバイスに明確に列挙されていないまたは固有でない他のステップまたはユニットを含むことができる。
【００７２】
上記では説明のための例として無認可スペクトル通信システムを使用したが、当業者は、本発明の実施形態が無認可スペクトル通信システムに単に適用可能であるだけでなく、他の無線通信システム、例えばグローバル移動体通信システム（Global System for Mobile Communications、GSM(登録商標)）、ユニバーサル移動体通信システム（Universal Mobile Telecommunications System、UMTS）、符号分割多元接続（Code Division Multiple Access、CDMA）システム、ロングタームエボリューション（Long Term Evolution、LTE）システム、および将来の進化型ネットワークシステムにも適用可能である。これは本明細書において特に限定されない。
【００７３】
本発明の実施形態は、主に無認可スペクトル通信システムに適用され、特定の応用分野は、インテリジェント検針、工場でのターゲットデータ収集、インテリジェントオフィスなどを含むことができる。通信システムは、端末デバイスとネットワークデバイスとを含む。
【００７４】
本発明のこの実施形態で言及される端末デバイスは、ユーザに音声および／またはデータ接続性を提供するデバイス、無線接続機能を有するハンドヘルドデバイス、または無線モデムに接続された別の処理デバイスであってもよい。無線端末は、無線アクセスネットワーク（Radio Access Network、RAN）を介して1つまたは複数のコアネットワークと通信することができる。無線端末は、携帯電話（「セルラ（cellular）」電話と呼ぶこともできる）などのモバイル端末であってもよく、モバイル端末を備えたコンピュータ、例えば、無線アクセスネットワークと音声および／またはデータを交換する携帯型、ポケットサイズ、ハンドヘルド型、コンピュータ内蔵、または車載のモバイル装置であってもよい。例えば、無線端末は、パーソナル通信サービス（PCS、Personal Communication Service）電話機、コードレス電話機、セッション開始プロトコル（SIP）電話機、無線ローカルループ（WLL、Wireless Local Loop）局、またはパーソナルデジタルアシスタント（PDA、Personal Digital Assistant）などのデバイスであってもよい。無線端末は、システム、加入者ユニット（Subscriber Unit）、加入者局（Subscriber Station）、移動局（Mobile Station）、モバイルコンソール（Mobile）、遠隔局（Remote Station）、アクセスポイント（Access Point）、リモート端末（Remote Terminal）、アクセス端末（Access Terminal）、ユーザ端末（User Terminal）、ユーザエージェント（User Agent）、ユーザデバイス（User Device）、またはユーザ機器（User Equipment）と呼ばれることもある。
【００７５】
本発明の実施形態で言及されるネットワークデバイスは、基地局、アクセスポイント、またはアクセスネットワーク内にあり、1つまたは複数のセクタを使用してエアインタフェース上で無線端末と通信するデバイスであってもよい。基地局は、受信した無線フレームとIPパケットとを相互に変換し、無線端末とアクセスネットワークの残りの部分との間のルータとして機能するように構成されてもよく、アクセスネットワークの残りの部分はインターネットプロトコル（IP）ネットワークを含んでもよい。基地局は、エアインタフェースの属性管理をさらに調整し得る。例えば、基地局は、GSM(登録商標)またはCDMAにおける基地局（BTS、Base Transceiver Station）、であってもよく、またはWCDMA(登録商標)におけるノードB（NodeB）であってもよく、またはLTEにおける進化型ノードB（eNBまたはe−NodeB、evolutional Node B）であってもよい。これはこの用途に限定されない。
【００７６】
図1は、本発明の一実施形態による無認可スペクトルのACK／NACKフィードバック方法の一実施形態のシステム構成図である。通信システムは、端末デバイス101とネットワークデバイス102とを含む。ネットワークデバイス102は、コアネットワークコントローラ1021、ゲートウェイ1022、ベースバンド処理ユニット1023、マクロ基地局1024、マイクロ基地局1025、および無線周波数ユニット1026などを含む。
【００７７】
端末デバイス101は、無線エアインタフェースリソースを使用して、マクロ基地局1024、マイクロ基地局1025、および無線周波数ユニット1026などのネットワークデバイスとの通信接続を確立し、ゲートウェイ1022、ベースバンド処理ユニット1023、およびマクロ基地局1024は、コアネットワークコントローラ1021に接続されている。
【００７８】
マクロ基地局1024、マイクロ基地局1025、および無線周波数ユニット1026は共存してもよく、またはそれらの1つまたは複数が別々に配備されてもよいことを理解されたい。これは本明細書において特に限定されない。
【００７９】
図2は、本発明の一実施形態によるセルラベースのNB−cIoT（Narrowband Cellular Internet of Things）のスケジューリングベースの送信のフローチャートであり、方法は以下のステップを含む。
【００８０】
201．ネットワークデバイスはブロードキャストメッセージを端末デバイスに送信し、端末デバイスはネットワークデバイスによって送信されたブロードキャストメッセージを受信する。
【００８１】
ブロードキャストメッセージは、異なるカバレッジレベルの端末デバイスに対応する利用可能な物理アップリンク共有チャネルPUSCHリソースおよび物理ダウンリンク制御チャネルPDCCHロケーションなどの情報を含む。PUSCHは、端末デバイスによってネットワークデバイスに送信されたバッファ状態報告（Buffer Status Report、BSR）を搬送するために使用され、PDCCHは、ネットワークデバイスによってフィードバックされた肯定応答ACK／否定応答NACKを端末デバイスに搬送するために使用される。
【００８２】
ネットワークデバイスは、ブロードキャストメッセージを使用して、異なるレベルの端末デバイスに対応する利用可能なPUSCHリソースおよびPDCCHロケーションなどの情報を端末デバイスに通知することができ、それによって端末デバイスは、利用可能なPUSCH上でBSRをネットワークデバイスに送信し、端末デバイスレベルに基づいて対応するPDCCH上で、ネットワークデバイスによってフィードバックされたACK／NACKを監視することができる。
【００８３】
202．端末デバイスはバッファ状態報告をネットワークデバイスに送信し、ネットワークデバイスは端末デバイスによって送信されたバッファ状態報告を受信する。
【００８４】
ネットワークデバイスによって送信されたブロードキャストメッセージを受信した後、端末デバイスは、ブロードキャストメッセージから、利用可能なPUSCHリソースおよび異なるカバレッジレベルの端末デバイスに対応するPDCCHロケーションなどの情報を取得し得る。
【００８５】
また、端末デバイスは、利用可能なPUSCHを用いてBSRをネットワークデバイスに送信してもよく、端末デバイスは、BSRを用いて、アップリンクバッファBufferにおける送信対象のターゲットデータのデータ量をネットワークデバイスに通知し得る。
【００８６】
203．ネットワークデバイスはアップリンクチャネルリソース割り当てメッセージを端末デバイスに送信し、端末デバイスはネットワークデバイスによって送信されたアップリンクチャネルリソース割り当てメッセージを受信する。
【００８７】
端末デバイスによって送信されたBSRを受信した後、ネットワークデバイスは、BSRからアップリンクバッファ内の送信対象のターゲットデータのデータ量を学習し、対応するスケジューリングアルゴリズムに従って、対応するアップリンクチャネルリソースを端末デバイスに割り当ててもよい。
【００８８】
204．端末デバイスはターゲットデータをネットワークデバイスに送信し、ネットワークデバイスは端末デバイスによって送信されたターゲットデータを受信する。
【００８９】
ネットワークデバイスによって送信されたアップリンクチャネルリソース割り当てメッセージを受信した後、端末デバイスは、アップリンクチャネルリソース割り当てメッセージに基づいて、ネットワークデバイスによって端末デバイスに割り当てられたアップリンクチャネルリソースを学習し、アップリンクチャネルリソースを使用してターゲットデータをネットワークデバイスに送信し得る。
【００９０】
205．ネットワークデバイスはACK／NACKを端末デバイスにフィードバックし、端末デバイスはネットワークデバイスによってフィードバックされたACK／NACKを受信する。
【００９１】
端末デバイスがターゲットデータをネットワークデバイスに送信した後、ネットワークデバイスが端末デバイスによって送信されたターゲットデータを受信した場合、ネットワークデバイスはACK／NACKを端末デバイスにフィードバックする。
【００９２】
図2に示す方法では、ダウンリンクチャネルリソースが制限されているとき、ネットワークデバイスが端末デバイスによって送信されたターゲットデータを受信しても、ネットワークデバイスはACK／NACKを端末デバイスに適時に返送することができない。特にネットワークデバイスの負荷が高いとき、ネットワークデバイスが各端末デバイスによって送信されたターゲットデータに返信すると、ACK／NACKを返すためのオーバヘッドが大きくなり、ネットワークデバイスのキャッシュ蓄積が起こりやすくなる。その結果、ネットワークデバイスは不安定に動作する。
【００９３】
これに基づいて、本発明のこの実施形態は、ネットワークデバイスによるACK／NACKの早すぎる返送によるネットワークデバイスキャッシュ蓄積の問題、およびネットワークデバイスからACK／NACKを返すため大きなオーバヘッドの問題を解決するために、無認可スペクトルのACK／NACKフィードバック方法を提供する。
【００９４】
図3は、本発明の一実施形態による無認可スペクトルのACK／NACKフィードバック方法の一実施形態のフローチャートであり、本方法は以下のステップを含む。
【００９５】
301．ネットワークデバイスはブロードキャストメッセージを端末デバイスに送信し、端末デバイスはネットワークデバイスによって送信されたブロードキャストメッセージを受信する。
【００９６】
本発明のこの実施形態では、ネットワークデバイスは、確認されたconfirmedアップリンクチャネル（すなわち、フィードバックアップリンクチャネル）および確認されていないunconfirmedアップリンクチャネル（すなわち、非フィードバックアップリンクチャネル）の2つのタイプにアップリンクチャネルを分類することができる。confirmedアップリンクチャネルは、ネットワークデバイスがACK／NACKフィードバックを提供する必要があるアップリンクチャネルである。例えば、端末デバイスはconfirmedアップリンクチャネルを使用してターゲットデータをネットワークデバイスに送信し、confirmedアップリンクチャネル上でターゲットデータを受信した後、ネットワークデバイスは端末デバイスにACK／NACKをフィードバックする必要がある。unconfirmedアップリンクチャネルは、ネットワークデバイスがACK／NACKフィードバックを提供する必要がないアップリンクチャネルである。例えば、端末デバイスはunconfirmedアップリンクチャネルを使用してターゲットデータをネットワークデバイスに送信し、unconfirmedアップリンクチャネル上でターゲットデータを受信した後、ネットワークデバイスは端末デバイスにACK／NACKをフィードバックする必要がない。
【００９７】
したがって、本発明のこの実施形態では、ターゲットデータが送信される異なるアップリンクチャネルは、ACK／NACKをフィードバックするかどうかをネットワークデバイスに指示するための指示情報として使用され得る。ネットワークデバイスは、異なるアップリンクチャネル（confirmedアップリンクチャネルまたはunconfirmedアップリンクチャネル）から受信されたターゲットデータに基づいて、ネットワークデバイスがACK／NACKをフィードバックする必要があるかどうかを決定する。ダウンリンクチャネルリソースが制限されているとき、ネットワークデバイスは、いくつかのアップリンクチャネル（例えば、confirmedアップリンクチャネル）についてのみフィードバックを提供する。これにより、ネットワークデバイスがACK／NACKを返すためのオーバヘッドが削減される。
【００９８】
さらに、ネットワークデバイスは、confirmedアップリンクチャネルとPDCCHとの間のマッピング関係を結び付けることができる。端末デバイスがACK／NACKフィードバックを必要とするとき、端末デバイスは対応するPDCCH上でACK／NACKを監視することができる。例えば、ネットワークデバイスが、confirmedアップリンクチャネル上で、端末デバイスによって送信されたターゲットデータを受信した場合、対応して、ネットワークデバイスは、confirmedアップリンクチャネルに対応するPDCCH上で、ACK／NACKを端末デバイスにフィードバックする。したがって、ターゲットデータをネットワークデバイスに送信した後、端末デバイスは、confirmedアップリンクチャネルに対応するPDCCH上のACK／NACKを監視することができる。
【００９９】
また、端末デバイスによるconfirmedアップリンクチャネルおよびunconfirmedアップリンクチャネルの選択のために、ネットワークデバイスは、対応するルール、例えば端末デバイスによりconfirmedアップリンクチャネルを選択する確率p、または、confirmedアップリンクチャネルを選択するために必要とされる端末デバイス属性（例えば、QoSクラス識別子QCIや変調および符号化方式MCS）を設定し得る。確かに、端末デバイスはアップリンクチャネルをどのように選択するかを自発的に決定し得る。例えば、端末デバイスは、端末デバイスの属性に基づいて、ACK／NACKフィードバックが必要かどうかを決定する。これは本明細書において特に限定されない。
【０１００】
ネットワークデバイスはアップリンクチャネルを分類しないことがあることを理解されたい。言い換えれば、アップリンクチャネルは、confirmedアップリンクチャネルとunconfirmedアップリンクチャネルとの2つのタイプを有さない。ネットワークデバイスは、ACK／NACKフィードバックをサポートし、端末デバイスのQCI、MCSなどを含む端末デバイス属性を端末デバイスに通知し得る。端末デバイスは、端末デバイスの属性に基づいて、ネットワークデバイスがACK／NACKフィードバックを提供できるかどうかを学習し、ネットワークデバイスに通知するために指示識別子（例えば、ターゲットデータのパケットヘッダ内で運ばれるフラグ（例えば、1bitまたは2bitであり、ここでは特に限定されない））を使用し得る。指示識別子を受信した後、ネットワークデバイスは端末デバイスのACK／NACKフィードバック要求を学習する。確かに、端末デバイスは、端末デバイスの属性に基づいて、ACK／NACKフィードバックが必要かどうかを自発的に決定し、指示識別子を使用してネットワークデバイスに通知し得る。指示識別子を受信した後、ネットワークデバイスは端末デバイスのACK／NACKフィードバック要求を学習する。これは本明細書において特に限定されない。言い換えれば、本発明のこの実施形態では、ターゲットデータを送信するときに端末デバイスが指示識別子を追加するかどうかが、ACK／NACKをフィードバックするかどうかをネットワークデバイスに指示するための指示情報として使用される。
【０１０１】
ネットワークデバイスが、アップリンクチャネルをconfirmedアップリンクチャネルとunconfirmedアップリンクチャネルとに分類するとき、ブロードキャストメッセージは、アップリンクチャネルタイプ、フィードバックアップリンクチャネルに対応するPDCCHロケーション、およびフィードバックアップリンクチャネルの選択条件を含み得る。選択条件は、フィードバックアップリンクチャネルを選択する確率p、またはフィードバックアップリンクチャネルを選択するための端末デバイス参照属性を含む。
【０１０２】
端末デバイスがアップリンクチャネルをどのように選択するかを自発的に決定することができる場合、ブロードキャストメッセージは、フィードバックアップリンクチャネルの選択条件を含まなくてもよいことに留意されたい。
【０１０３】
さらに、ブロードキャストメッセージは、ターゲットデータが送信されるアップリンクチャネルのタイプと、ネットワークデバイスによってACK／NACKをフィードバックするための指示情報との間のマッピング関係をさらに搬送し得る。ターゲットデータを送信するとき、端末デバイスは、ACK／NACKフィードバックが必要かどうかに基づいて対応するアップリンクチャネルを選択する。ネットワークデバイスは、異なるアップリンクチャネルで受信されたターゲットデータに基づいて対応する指示情報を取得し、指示情報に基づいて、ネットワークデバイスが端末デバイスにACK／NACKをフィードバックする必要があるかどうかを決定する。
【０１０４】
本発明のこの実施形態では、ネットワークデバイスがアップリンクチャネルをconfirmedアップリンクチャネルとunconfirmedアップリンクチャネルとに分類する場合、ターゲットデータが送信されるアップリンクチャネルのタイプと、ネットワークデバイスによってACK／NACKをフィードバックするための指示情報との間のマッピング関係は明示的なマッピング関係である。言い換えれば、ネットワークデバイスは、ターゲットデータが送信されるどのアップリンクチャネル（例えば、confirmedアップリンクチャネル）がACK／NACKをフィードバックするために対応するか、および、ターゲットデータが送信されるどのアップリンクチャネル（例えば、unconfirmedアップリンクチャネル）がACK／NACKをフィードバックしないために対応するかを端末デバイスに通知した。
【０１０５】
ネットワークデバイスがアップリンクチャネルを分類しないとき、ブロードキャストメッセージは、ACK／NACKをフィードバックするための対応するPDCCHロケーションと、ACK／NACKフィードバックをサポートする参照条件とを含み得、参照条件はACK／NACKフィードバックをサポートする端末デバイス参照属性を含む。
【０１０６】
端末デバイスがアップリンクチャネルをどのように選択するかを自発的に決定することができる場合、ブロードキャストメッセージは、ACK／NACKフィードバックをサポートする参照条件を含まないことがあることに留意されたい。
【０１０７】
さらに、ブロードキャストメッセージは、ターゲットデータが指示識別子を搬送するかどうかと、ネットワークデバイスによってACK／NACKをフィードバックするための指示情報との間のマッピング関係をさらに搬送し得る。ターゲットデータを送信するとき、端末デバイスは、ACK／NACKフィードバックが必要かどうかに基づいて指示識別子をターゲットデータに追加する。ターゲットデータを受信した後、ネットワークデバイスは、ターゲットデータが指示識別子を搬送するかどうかに基づいて、ネットワークデバイスがACK／NACKを端末デバイスにフィードバックする必要があるかどうかを決定する。
【０１０８】
本発明のこの実施形態では、ネットワークデバイスがアップリンクチャネルを分類しない場合、ターゲットデータが指示識別子を搬送するかどうかとネットワークデバイスによってACK／NACKをフィードバックするための指示情報との間のマッピング関係は、暗黙のマッピング関係である。言い換えれば、ネットワークデバイスは、どのターゲットデータがACK／NACKをフィードバックするために対応するのかを端末デバイスに通知せず、端末デバイスは、指示識別子をターゲットデータに追加して、ACK／NACKをフィードバックするようにネットワークデバイスに指示する。
【０１０９】
302．端末デバイスは、ブロードキャストメッセージに基づいて、ターゲットデータに関する情報と指示情報との間のマッピング関係を学習する。
【０１１０】
ネットワークデバイスがアップリンクチャネルをconfirmedアップリンクチャネルとunconfirmedアップリンクチャネルとに分類する場合、端末デバイスは、ブロードキャストメッセージを使用して、ターゲットデータが送信されるアップリンクチャネルのタイプと指示情報との間のマッピング関係を学習することができ、ターゲットデータが送信されるアップリンクチャネルのタイプは、ターゲットデータに関する情報である。
【０１１１】
また、端末デバイスは、ブロードキャストメッセージを使用して、アップリンクチャネルタイプ、フィードバックアップリンクチャネルに対応するPDCCHロケーション、およびフィードバックアップリンクチャネルの選択条件をさらに学習し得る。選択条件は、フィードバックアップリンクチャネルを選択する確率p、またはフィードバックアップリンクチャネルを選択するための端末デバイス参照属性を含む。
【０１１２】
端末デバイスがアップリンクチャネルをどのように選択するかを自発的に決定することができる場合、ブロードキャストメッセージは、フィードバックアップリンクチャネルの選択条件を含まなくてもよいことに留意されたい。
【０１１３】
ネットワークデバイスがアップリンクチャネルを分類しない場合、端末デバイスは、ブロードキャストメッセージを使用して、ターゲットデータが指示識別子と指示情報との間のマッピング関係を搬送するかどうかを学習することができ、ターゲットデータが指示識別子を搬送するかどうかはターゲットデータに関する情報である。
【０１１４】
さらに、端末デバイスは、ブロードキャストメッセージを使用して、ACK／NACKをフィードバックするための対応するPDCCHロケーションと、ACK／NACKフィードバックをサポートする参照条件とをさらに学習し得る。参照条件は、ACK／NACKフィードバックをサポートする端末デバイス参照属性を含む。
【０１１５】
端末デバイスがアップリンクチャネルをどのように選択するかを自発的に決定することができる場合、ブロードキャストメッセージは、ACK／NACKフィードバックをサポートする参照条件を含まないことがあることに留意されたい。
【０１１６】
303．端末デバイスは、マッピング関係に基づいてターゲットデータをネットワークデバイスに送信し、ネットワークデバイスは、端末デバイスによって送信されたターゲットデータを受信する。
【０１１７】
ネットワークデバイスがアップリンクチャネルをconfirmedアップリンクチャネルとunconfirmedアップリンクチャネルとに分類する場合、端末デバイスは、ネットワークデバイスによって設定された選択条件に基づいて、ターゲットデータが送信されるアップリンクチャネルのタイプを自発的に決定または決定し、決定されたアップリンクチャネルを使用してターゲットデータをネットワークデバイスに送信することができる。
【０１１８】
ネットワークデバイスがアップリンクチャネルを分類しない場合、端末デバイスは、ACK／NACKフィードバックをサポートしかつネットワークデバイスによって設定された参照条件に基づいて、ターゲットデータが指示識別子を搬送するかどうかを自発的に決定または決定し、ターゲットデータをネットワークデバイスに送信することができる。
【０１１９】
304．ネットワークデバイスは、ターゲットデータに関する情報とマッピング関係とに基づいて対応する指示情報を決定する。
【０１２０】
ネットワークデバイスがアップリンクチャネルをconfirmedアップリンクチャネルとunconfirmedアップリンクチャネルとに分類する場合、端末デバイスによって送信されたターゲットデータを受信した後、ネットワークデバイスは、ターゲットデータが送信されるアップリンクチャネルのタイプおよびマッピング関係に基づいて対応する指示情報を決定することができる。
【０１２１】
ネットワークデバイスがアップリンクチャネルを分類しない場合、端末デバイスによって送信されたターゲットデータを受信した後に、ネットワークデバイスは、マッピング関係に基づいてかつターゲットデータが指示識別子を搬送するかどうかに基づいて、対応する指示情報を決定することができる。
【０１２２】
305．ネットワークデバイスは、ACK／NACKをフィードバックすると決定するための指示情報に基づいて、ACK／NACKを端末デバイスにフィードバックする。
【０１２３】
ネットワークデバイスがアップリンクチャネルをconfirmedアップリンクチャネルとunconfirmedアップリンクチャネルとに分類し、端末デバイスがconfirmedアップリンクチャネルを使用してターゲットデータをネットワークデバイスに送信する場合、ネットワークデバイスは、ターゲットデータが送信されるアップリンクチャネルのタイプおよびマッピング関係に基づいて、指示情報がACK／NACKを端末デバイスにフィードバックしていることを決定し得る。ネットワークデバイスは、ACK／NACKをフィードバックすると決定するための指示情報に基づいて、ACK／NACKを端末デバイスにフィードバックする。
【０１２４】
ネットワークデバイスがアップリンクチャネルを分類せず、端末デバイスがACK／NACKをフィードバックするための指示識別子をターゲットデータに追加する場合、ネットワークデバイスは、ターゲットデータにおけるACK／NACKをフィードバックするための指示識別子およびマッピング関係に基づいて、指示情報がACK／NACKを端末デバイスにフィードバックしていることを決定し得る。ネットワークデバイスは、ACK／NACKをフィードバックすると決定するための指示情報に基づいて、ACK／NACKを端末デバイスにフィードバックする。
【０１２５】
306．端末デバイスは、ACK／NACKをフィードバックすると決定するための指示情報に基づいて、ネットワークデバイスによってフィードバックされたACK／NACKを監視する。
【０１２６】
指示情報は、ネットワークデバイスがターゲットデータをネットワークデバイスに送信した後に、ACK／NACKを端末デバイスにフィードバックする必要があることである場合、端末デバイスは、対応するPDCCHで、ネットワークデバイスによってフィードバックされたACK／NACKを監視することができる。
【０１２７】
ステップ306とステップ304またはステップ305との間の実行順序は限定されないことに留意されたい。ターゲットデータをネットワークデバイスに送信した後、端末デバイスは、対応するPDCCH上で、ネットワークデバイスによってフィードバックされたACK／NACKを監視することができる。次いで、ネットワークデバイスは、ターゲットデータに関する情報およびマッピング関係に基づいて対応する指示情報を決定し、ACK／NACKをフィードバックすると決定するための指示情報に基づいてACK／NACKを端末デバイスにフィードバックする。これは本明細書において特に限定されない。
【０１２８】
本発明のこの実施形態では、ネットワークデバイスがアップリンクチャネルをconfirmedアップリンクチャネルとunconfirmedアップリンクチャネルとに分類するとき、端末デバイスは、ターゲットデータが送信されるアップリンクチャネルのタイプとネットワークデバイスによってACK／NACKをフィードバックするための指示情報と間のマッピング関係に基づいてターゲットデータをネットワークデバイスに送信することができる。ネットワークデバイスは、ターゲットデータが送信されるアップリンクチャネルのタイプおよびマッピング関係に基づいて対応する指示情報を決定し、その指示情報に基づいて、ネットワークデバイスがACK／NACKを端末デバイスにフィードバックする必要があるかどうかを決定することができる。あるいは、ネットワークデバイスがアップリンクチャネルを分類しないとき、端末デバイスは、ターゲットデータが指示識別子を搬送するかどうかと、ネットワークデバイスによってACK／NACKをフィードバックするための指示情報との間のマッピング関係に基づいてターゲットデータをネットワークデバイスに送信することができる。ネットワークデバイスは、マッピング関係に基づいてかつターゲットデータが指示識別子を搬送するかどうかに基づいて対応する指示情報を決定し、指示情報に基づいてネットワークデバイスがACK／NACKを端末デバイスにフィードバックする必要があるかどうかを決定することができる。
【０１２９】
上記は、本発明のこの実施形態における無認可スペクトルのACK／NACKフィードバック方法を一般的に説明し、以下は、特定の適用シナリオを参照しながら、本発明のこの実施形態における無認可スペクトルのACK／NACKフィードバック方法を説明する。
【０１３０】
図4は、本発明の一実施形態による無認可スペクトルのACK／NACKフィードバック方法の別の実施形態のフローチャートであり、本方法は以下のステップを含む。
【０１３１】
401．端末デバイスはネットワークデバイスと同期し、ネットワークデバイスによって送信されたブロードキャストメッセージを受信する。
【０１３２】
本発明のこの実施形態では、ネットワークデバイスは、アップリンクチャネルをconfirmedアップリンクチャネルとunconfirmedアップリンクチャネルとに分類し、アップリンクチャネルを選択するとき、端末デバイスは確率pを使用してconfirmedアップリンクチャネルおよびunconfirmedアップリンクチャネルを選択する。
【０１３３】
端末デバイスは、ブロードキャストメッセージを使用して、アップリンクチャネル分類、confirmedチャネルに対応するPDCCHロケーション、およびconfirmedアップリンクチャネルを選択する確率pを学習することができる。
【０１３４】
402．端末デバイスは、ネットワークデバイスに送信されたターゲットデータがあるかどうかを決定し；ネットワークデバイスに送信されたターゲットデータがある場合、ステップ403が実行され、またはネットワークデバイスに送信されたターゲットデータがない場合、ステップ407が実行される。
【０１３５】
403．端末デバイスは、［0，1］から値xをランダムに選択し、x＜pが有効であるかどうかを決定し；x＜pが有効である場合、ステップ404が実行され、あるいはx＜pが無効である場合、ステップ406が実行される。
【０１３６】
端末デバイスによってランダムに選択された値xがpより小さい場合、端末デバイスはconfirmedアップリンクチャネルを選択してターゲットデータを送信する；あるいは、端末デバイスによってランダムに選択された値xがp以上である場合、端末デバイスは、unconfirmedアップリンクチャネルを選択してターゲットデータを送信する。
【０１３７】
404．端末デバイスは、confirmedアップリンクチャネルを使用してターゲットデータを送信する。
【０１３８】
端末デバイスがconfirmedアップリンクチャネルを使用してターゲットデータを送信する場合、それは、ターゲットデータを受信した後に、ネットワークデバイスがターゲットデータに対応する端末デバイスにACK／NACKをフィードバックする必要があることを示す。
【０１３９】
405．端末デバイスは、confirmedアップリンクチャネルに対応するPDCCH上でACK／NACKを監視する。
【０１４０】
ターゲットデータを送信するために端末デバイスがconfirmedアップリンクチャネルを選択する場合、ターゲットデータを送信した後、端末デバイスはconfirmedアップリンクチャネルに対応するPDCCH上のACK／NACKを監視する。
【０１４１】
406．端末デバイスは、unconfirmedアップリンクチャネルを使用してターゲットデータを送信する。
【０１４２】
端末デバイスがunconfirmedアップリンクチャネルを使用してターゲットデータを送信する場合、それは、ターゲットデータを受信した後、ネットワークデバイスがACK／NACKをターゲットデータに対応する端末デバイスにフィードバックする必要がないことを示す。
【０１４３】
ターゲットデータを送信した後に端末デバイスがunconfirmedアップリンクチャネルを選択してターゲットデータを送信する場合、端末デバイスはこの送信プロセスを終了し、PDCCH上のACK／NACKを監視する必要がなく、それによって端末デバイスの消費電力が低減されることに留意されたい。
【０１４４】
407．終了。
【０１４５】
本発明のこの実施形態では、ネットワークデバイスがアップリンクチャネルをconfirmedアップリンクチャネルとunconfirmedアップリンクチャネルとに分類するとき、端末デバイスは確率pを使用してconfirmedアップリンクチャネルおよびunconfirmedアップリンクチャネルを選択する。ネットワークデバイスは、ターゲットデータが送信されるアップリンクチャネルのタイプおよびマッピング関係に基づいて対応する指示情報を決定し、その指示情報に基づいて、ネットワークデバイスがACK／NACKを端末デバイスにフィードバックする必要があるかどうかを決定し得る。
【０１４６】
上記は、ネットワークデバイスがアップリンクチャネルをconfirmedアップリンクチャネルとunconfirmedアップリンクチャネルとに分類するときに、端末デバイスが確率pを使用してconfirmedアップリンクチャネルとunconfirmedアップリンクチャネルとを選択するアプリケーションシナリオについて説明しており、以下に、ネットワークデバイスがアップリンクチャネルをconfirmedアップリンクチャネルとunconfirmedアップリンクチャネルとに分類するときに、端末デバイスが端末デバイスの属性に基づいてconfirmedアップリンクチャネルとunconfirmedアップリンクチャネルとを選択するアプリケーションシナリオについて説明する。
【０１４７】
図5は、本発明の一実施形態による無認可スペクトルのACK／NACKフィードバック方法の別の実施形態のフローチャートであり、本方法は以下のステップを含む。
【０１４８】
501および502は、図4の401および402と同様である。前述の説明を参照し、詳細は本明細書では再度説明されない。
【０１４９】
503．端末デバイスは、端末デバイスの属性がconfirmedアップリンクチャネルを選択するための条件を満たすかどうかを決定する。
【０１５０】
本発明のこの実施形態では、ネットワークデバイスは、アップリンクチャネルをconfirmedアップリンクチャネルとunconfirmedアップリンクチャネルとに分類し、アップリンクチャネルを選択するとき、端末デバイスは端末デバイスの属性（例えば、QoSクラス識別子QCIや変調および符号化方式MCS）に基づいてconfirmedアップリンクチャネルおよびunconfirmedアップリンクチャネルを選択する。
【０１５１】
ネットワークデバイスは、ブロードキャストメッセージを使用して、ターゲットデータを送信するためにconfirmedアップリンクチャネルを選択するときに端末デバイスが有する必要がある特定の属性、例えば端末デバイスのQCIまたはMCSなどのネットワークデバイスによって指定された閾値に達する必要があるインジケータパラメータを端末デバイスに通知し得る。
【０１５２】
504〜507は、図4の404〜407と同様である。前述の説明を参照し、詳細は本明細書では再度説明されない。
【０１５３】
本発明のこの実施形態では、ネットワークデバイスがアップリンクチャネルをconfirmedアップリンクチャネルとunconfirmedアップリンクチャネルとに分類するとき、端末デバイスはまた、端末デバイスの属性に基づいてconfirmedアップリンクチャネルおよびunconfirmedアップリンクチャネルを選択し得る。ネットワークデバイスは、ターゲットデータが送信されるアップリンクチャネルのタイプおよびマッピング関係に基づいて対応する指示情報を決定し、指示情報に基づいて、ネットワークデバイスがACK／NACKを端末デバイスにフィードバックする必要があるかどうかを決定し得る。
【０１５４】
上記は、ネットワークデバイスがアップリンクチャネルをconfirmedアップリンクチャネルとunconfirmedアップリンクチャネルとに分類するときに、端末デバイスが端末デバイスの属性に基づいてconfirmedアップリンクチャネルとunconfirmedアップリンクチャネルとを選択するアプリケーションシナリオについて説明しており、以下に、ネットワークデバイスがアップリンクチャネルをconfirmedアップリンクチャネルとunconfirmedアップリンクチャネルとに分類するときに端末デバイスの属性に基づいて、confirmedアップリンクチャネルおよびunconfirmedアップリンクチャネルを選択するためにACK／NACKフィードバックが必要かどうかを端末デバイスが自発的に決定するアプリケーションシナリオについて説明する。
【０１５５】
図6は、本発明の一実施形態による無認可スペクトルのACK／NACKフィードバック方法の別の実施形態のフローチャートであり、本方法は以下のステップを含む。
【０１５６】
601および602は、図4の401および402と同様である。前述の説明を参照し、詳細は本明細書では再度説明されない。
【０１５７】
603．端末デバイスは、端末デバイスの属性がconfirmedアップリンクチャネルを選択するための条件を満たすかどうかを決定する。
【０１５８】
本発明のこの実施形態では、ネットワークデバイスは、アップリンクチャネルをconfirmedアップリンクチャネルとunconfirmedアップリンクチャネルとに分類し、アップリンクチャネルを選択するときに、端末デバイスは、端末デバイスの属性に基づいて、confirmedアップリンクチャネルおよびunconfirmedアップリンクチャネルを選択するためにACK／NACKフィードバックが必要かどうかを自発的に決定する。
【０１５９】
端末デバイスは、端末デバイスの属性に基づいて、ACK／NACKフィードバックが必要であるかどうかを自発的に決定し得るため、ネットワークデバイスはアップリンクチャネル選択方法を設定する必要はない。これにより、ネットワークデバイスの電力消費が低減され、ブロードキャストメッセージは、アップリンクチャネル選択方法に関する情報を搬送する必要がなく、それによってブロードキャストメッセージを節約する。
【０１６０】
604〜607は、図4の404〜407と同様である。前述の説明を参照し、詳細は本明細書では再度説明されない。
【０１６１】
本発明のこの実施形態では、ネットワークデバイスがアップリンクチャネルをconfirmedアップリンクチャネルとunconfirmedアップリンクチャネルとに分類するとき、端末デバイスは、端末デバイスの属性に基づいてconfirmedアップリンクチャネルおよびunconfirmedアップリンクチャネルを選択してもよく、ネットワークデバイスはアップリンクチャネル選択方法を設定する必要はない。これにより、ネットワークデバイスの電力消費が低減され、ブロードキャストメッセージは、アップリンクチャネル選択方法に関する情報を搬送する必要がなく、それによってブロードキャストメッセージを節約する。ネットワークデバイスは、ターゲットデータが送信されるアップリンクチャネルのタイプおよびマッピング関係に基づいて対応する指示情報を決定し、指示情報に基づいて、ネットワークデバイスがACK／NACKを端末デバイスにフィードバックする必要があるかどうかを決定し得る。
【０１６２】
上記は、ネットワークデバイスがアップリンクチャネルをconfirmedアップリンクチャネルとunconfirmedアップリンクチャネルとに分類するときに端末デバイスの属性に基づいて、confirmedアップリンクチャネルおよびunconfirmedアップリンクチャネルを選択するためにACK／NACKフィードバックが必要かどうかを端末デバイスが自発的に決定するアプリケーションシナリオについて説明しており、以下では、ネットワークデバイスがアップリンクチャネルを分類しない場合に端末デバイスの属性に基づいて、指示識別子をターゲットデータに追加するかどうかを端末デバイスが選択するアプリケーションシナリオについて説明する。
【０１６３】
図7は、本発明の一実施形態による無認可スペクトルのACK／NACKフィードバック方法の別の実施形態のフローチャートであり、本方法は以下のステップを含む。
【０１６４】
701と702は、図4の401と402と同様である。前述の説明を参照し、詳細は本明細書では再度説明されない。
【０１６５】
703．端末デバイスは、［0，1］から値xをランダムに選択し、x＜p’が有効であるかどうかを決定し；x＜p’が有効である場合、ステップ704が実行され、あるいはx＜p’が無効である場合、ステップ708が再び実行される。
【０１６６】
本発明のこの実施形態では、ネットワークデバイスはアップリンクチャネルを分類しないが、ネットワークデバイスは、ブロードキャストメッセージを使用して、端末デバイスに利用可能なアップリンクチャネルリソースおよび対応するアクセス閾値p’、利用可能なアップリンクチャネルに対応するPDCCHロケーション、ならびにACKフィードバックをサポートする端末デバイス属性を通知することができる。
【０１６７】
端末デバイスによってランダムに選択された値xがp’より小さい場合、ネットワークデバイスは端末デバイスがネットワークデバイスにアクセスすることを許可する；あるいは、端末デバイスによってランダムに選択された値xがp’以上である場合、ネットワークデバイスは端末デバイスがネットワークデバイスにアクセスすることを許可しない。
【０１６８】
704．端末デバイスは、ブロードキャストメッセージに基づいて、ネットワークデバイスが現在のターゲットデータ送信に対してACK／NACKフィードバックを提供できるかどうかを学習し；ネットワークデバイスが現在のターゲットデータ送信に対してACK／NACKフィードバックを提供できる場合、ステップ705が実行される、あるいはネットワークデバイスが現在のターゲットデータ送信に対してACK／NACKフィードバックを提供できない場合、ステップ707が実行される。
【０１６９】
端末デバイスは、端末デバイスの属性と、ネットワークデバイスによりACKフィードバックをサポートしかつブロードキャストメッセージ内にある端末デバイスの属性とに基づいて、ターゲットデータが指示識別子を搬送するかどうかを決定する。
【０１７０】
705．端末デバイスは、ターゲットデータパケットヘッダに1bitのフラグを付加する。
【０１７１】
端末デバイスが1bitのフラグ指示識別子をターゲットデータパケットヘッダに付加する場合、それはターゲットデータを受信した後にネットワークデバイスがACK／NACKを端末デバイスにフィードバックする必要があることを示す。
【０１７２】
706．端末デバイスは、PDCCH上でACK／NACKを監視する。
【０１７３】
端末デバイスが、ターゲットデータを送信した後、ターゲットデータパケットヘッダに1bitのフラグを付加する場合、ターゲットデータが送信されるアップリンクチャネルに対応するPDCCH上のACK／NACKを監視する。しかしながら、端末デバイスが、ターゲットデータを送信した後、ターゲットデータパケットヘッダに1bitのフラグを付加しない場合、端末デバイスはPDCCH上のACK／NACKを監視する必要はない。これにより、端末デバイスの消費電力が削減される。
【０１７４】
707．端末デバイスは、ターゲットデータパケットヘッダに1bitのフラグを付加しない。
【０１７５】
端末デバイスがターゲットデータパケットヘッダに1bitのフラグを付加しない場合、それはターゲットデータを受信した後にネットワークデバイスが端末デバイスにACK／NACKをフィードバックする必要がないことを示す。
【０１７６】
708．終了。
【０１７７】
本発明のこの実施形態では、ネットワークデバイスがアップリンクチャネルを分類しないとき、端末デバイスは、端末デバイスの属性に基づいて、指示識別子をターゲットデータに追加するかどうかを選択することができる。ネットワークデバイスは、マッピング関係に基づいてかつターゲットデータが指示識別子を搬送するかどうかに基づいて対応する指示情報を決定し、指示情報に基づいてネットワークデバイスがACK／NACKを端末デバイスにフィードバックする必要があるかどうかを決定することができる。
【０１７８】
上記は、ネットワークデバイスがアップリンクチャネルを分類しないときに端末デバイスの属性に基づいて、指示識別子をターゲットデータに追加するかどうかを端末デバイスが選択するアプリケーションシナリオについて説明しており、以下では、ネットワークデバイスがアップリンクチャネルを分類しないときの端末デバイスの属性に基づいて、ターゲットデータに指示識別子を追加するかどうかを選択するためにACK／NACKフィードバックが必要かどうかを端末デバイスが自発的に決定するアプリケーションシナリオについて説明する。
【０１７９】
図8は、本発明の一実施形態による無認可スペクトルのACK／NACKフィードバック方法の別の実施形態のフローチャートであり、本方法は以下のステップを含む。
【０１８０】
801〜803は、図7の701〜703と同様である。前述の説明を参照し、詳細は本明細書では再度説明されない。
【０１８１】
804．端末デバイスは、端末デバイスの属性に基づいて、ACK／NACKフィードバックが必要であるかどうかを決定し、ACK／NACKフィードバックが必要である場合にはステップ805が実行され、あるいはACK／NACKフィードバックが必要でない場合にはステップ807が実行される。
【０１８２】
本発明のこの実施形態では、ネットワークデバイスはアップリンクチャネルを分類しないが、端末デバイスは、端末デバイスの属性に基づいて、ACK／NACKフィードバックが必要であるかどうかを自発的に決定することができ、ネットワークデバイスはアップリンクチャネル選択方法を設定する必要はない。これにより、ネットワークデバイスの電力消費が低減され、ブロードキャストメッセージは、アップリンクチャネル選択方法に関する情報を搬送する必要がなく、それによってブロードキャストメッセージを節約する。
【０１８３】
805〜808は、図7の705〜708と同様である。前述の説明を参照し、詳細は本明細書では再度説明されない。
【０１８４】
本発明のこの実施形態では、ネットワークデバイスがアップリンクチャネルを分類しない場合、端末デバイスは、端末デバイスの属性に基づいて、指示識別子をターゲットデータに追加するかどうかを選択するためにACK／NACKフィードバックが必要かどうかを自発的に決定することができ、ネットワークデバイスは、アップリンクチャネル選択方法を設定する必要はない。これにより、ネットワークデバイスの電力消費が低減され、ブロードキャストメッセージは、アップリンクチャネル選択方法に関する情報を搬送する必要がなく、それによってブロードキャストメッセージを節約する。ネットワークデバイスは、マッピング関係に基づいてかつターゲットデータが指示識別子を搬送するかどうかに基づいて対応する指示情報を決定し、指示情報に基づいてネットワークデバイスがACK／NACKを端末デバイスにフィードバックする必要があるかどうかを決定することができる。
【０１８５】
上記は、本発明のこの実施形態における無認可スペクトルのACK／NACKフィードバック方法について説明しており、以下は、本発明のこの実施形態におけるネットワークデバイスについて説明する。
【０１８６】
図9は、本発明の一実施形態によるネットワークデバイスの一実施形態におけるモジュールのブロック図であり、ネットワークデバイス900は、
マッピング関係を端末デバイスに明示的または暗示的に通知するように構成された送信モジュール901であって、マッピング関係は端末デバイスによって送信されたターゲットデータに関する情報とネットワークデバイスによってACK／NACKをフィードバックするための指示情報との間のマッピング関係を含む、送信モジュール901と、
端末デバイスによって送信されたターゲットデータを受信するように構成された受信モジュール902と、
受信モジュール902によって受信されたターゲットデータに関する情報およびマッピング関係に基づいて対応する指示情報を決定するように構成された処理モジュール903と
を備える。
【０１８７】
送信モジュール901は、ACK／NACKをフィードバックすることを決定するためのものでありかつ処理モジュール903によって実行された処理の後に得られる指示情報に基づいて、ACK／NACKを端末デバイスにフィードバックするようにさらに構成される。
【０１８８】
なお、送信モジュール901に対応する物理装置は送信機であり、受信モジュール902に対応する物理装置は受信機であり、処理モジュール903に対応する物理装置はプロセッサである。前述のモジュールの特定の機能については、図3に示される方法の実施形態におけるネットワークデバイスに対応するステップまたは機能を参照し、詳細はここでは再度説明されない。
【０１８９】
任意選択で、処理モジュール903が、受信モジュール902によって受信されたターゲットデータに関する情報およびマッピング関係に基づいて対応する指示情報を決定するように構成されるということは、
受信モジュール902によって受信されたターゲットデータが送信されるアップリンクチャネルのタイプを決定し、アップリンクチャネルタイプは、フィードバックアップリンクチャネルおよび非フィードバックアップリンクチャネルを含むこと、および
受信モジュール902によって受信されたターゲットデータが送信されるアップリンクチャネルのタイプおよびマッピング関係に基づいて対応する指示情報を決定すること
を含んでもよい。
【０１９０】
任意選択で、処理モジュール903が、受信モジュール902によって受信されたターゲットデータが送信されるアップリンクチャネルのタイプおよびマッピング関係に基づいて対応する指示情報を決定するように構成されるということは、
ターゲットデータがフィードバックアップリンクチャネル上で送信される場合、マッピング関係に基づいて、指示情報がACK／NACKを端末デバイスにフィードバックしていると決定すること、あるいは
ターゲットデータが非フィードバックアップリンクチャネル上で送信される場合、マッピング関係に基づいて、指示情報がACK／NACKを端末デバイスにフィードバックしていないと決定すること
を含んでもよい。
【０１９１】
任意選択で、送信モジュール901が端末デバイスにマッピング関係を明示的に通知するように構成されるということは、
ブロードキャストメッセージを端末デバイスに送信し、ブロードキャストメッセージは、アップリンクチャネルタイプと、フィードバックアップリンクチャネルに対応する物理ダウンリンク制御チャネルPDCCHロケーションとを含み得、ブロードキャストメッセージは、ターゲットデータが送信されるアップリンクチャネルのタイプと、ネットワークデバイスによってACK／NACKをフィードバックするための指示情報との間のマッピング関係を搬送すること
を含んでもよい。
【０１９２】
任意選択で、ブロードキャストメッセージは、フィードバックアップリンクチャネルの選択条件をさらに含んでもよく、選択条件は、フィードバックアップリンクチャネルを選択する確率pまたはフィードバックアップリンクチャネルを選択するための端末デバイス参照属性を含む。
【０１９３】
任意選択で、処理モジュール903が、受信モジュール902によって受信されたターゲットデータに関する情報およびマッピング関係に基づいて対応する指示情報を決定するように構成されるということは、
ターゲットデータが指示識別子を搬送するかどうかを決定すること、および
マッピング関係に基づいてかつターゲットデータが指示識別子を搬送するかどうかに基づいて、対応する指示情報を決定すること
を含んでもよい。
【０１９４】
任意選択で、処理モジュール903は、マッピング関係に基づいてかつターゲットデータが指示識別子を搬送するかどうかに基づいて、対応する指示情報を決定するように構成されるということは、
ターゲットデータが指示識別子を搬送する場合、マッピング関係に基づいて、指示情報がACK／NACKを端末デバイスにフィードバックしていると決定すること、あるいは
ターゲットデータが指示識別子を搬送しない場合、マッピング関係に基づいて、指示情報がACK／NACKを端末デバイスにフィードバックしていないと決定すること
を含んでもよい。
【０１９５】
任意選択で、指示識別子は、ターゲットデータのパケットヘッダ内に位置するビットbitフラグである。
【０１９６】
任意選択で、送信モジュール901がマッピング関係を端末デバイスに暗示的に通知するように構成されるということは、
端末デバイスにブロードキャストメッセージを送信し、ブロードキャストメッセージは、ACK／NACKをフィードバックするための対応するPDCCHロケーションを含み、ブロードキャストメッセージは、ターゲットデータが指示識別子を搬送するかどうかと、ネットワークデバイスによってACK／NACKをフィードバックするための指示情報との間のマッピング関係を搬送すること
を含んでもよい。
【０１９７】
任意選択で、ブロードキャストメッセージは、ACK／NACKフィードバックをサポートする参照条件をさらに含むことができ、参照条件は、ACK／NACKフィードバックをサポートする端末デバイス参照属性を含む。
【０１９８】
上記は、本発明のこの実施形態におけるネットワークデバイスについて説明しており、以下に、本発明のこの実施形態における端末デバイスについて説明する。
【０１９９】
図10は、本発明の一実施形態による端末デバイスの一実施形態におけるモジュールのブロック図であり、端末デバイス1000は、
ネットワークデバイスによって明示的または暗示的に通知されたマッピング関係を受信するように構成された受信モジュール1001であって、マッピング関係は、端末デバイスによって送信されたターゲットデータに関する情報と、ネットワークデバイスによってACK／NACKをフィードバックするための指示情報との間のマッピング関係を含む、受信モジュール1001と、
受信モジュール1001によって受信されたマッピング関係に基づいてターゲットデータをネットワークデバイスに送信するように構成された送信モジュール1002と、
送信モジュール1002によって送信されたターゲットデータに関する情報と、受信モジュールによって受信されたマッピング関係とに基づいて、対応する指示情報を決定し、ACK／NACKをフィードバックすることを決定するための指示情報に基づいて、ネットワークデバイスによってフィードバックされたACK／NACKをさらに監視するように構成された処理モジュール1003と、
を含む。
【０２００】
なお、受信モジュール1001に対応する物理装置は受信機であり、送信モジュール1002に対応する物理装置は送信機であり、処理モジュール1003に対応する物理装置はプロセッサである。前述のモジュールの特定の機能については、図3から図8に示されている方法の実施形態における端末デバイスに対応するステップまたは機能を参照し、詳細はここでは再度説明されない。
【０２０１】
任意選択で、受信モジュール1001が、ネットワークデバイスによって明示的に通知されたマッピング関係を受信するように構成されるということは、
ネットワークデバイスにより送信されたブロードキャストメッセージを受信し、ブロードキャストメッセージはアップリンクチャネルタイプおよびフィードバックアップリンクチャネルに対応するPDCCHロケーションを含み、アップリンクチャネルタイプは、フィードバックアップリンクチャネルと非フィードバックアップリンクチャネルとを含み、ブロードキャストメッセージは、ターゲットデータが送信されるアップリンクチャネルのタイプとネットワークデバイスによってACK／NACKをフィードバックするための指示情報との間のマッピング関係を搬送すること
を含んでもよい。
【０２０２】
任意選択で、送信モジュール1002が、受信モジュール1001によって受信されたマッピング関係に基づいてターゲットデータをネットワークデバイスに送信するように構成されるということは：
端末デバイスの属性に基づいて処理モジュール1003を使用して、ACK／NACKフィードバックが必要であるかどうかを決定すること；
端末デバイスがACK／NACKフィードバックを必要とする場合、受信モジュール1001によって受信されたマッピング関係に基づいて処理モジュール1003を使用して、ターゲットデータが送信されるアップリンクチャネルがフィードバックアップリンクチャネルであると決定すること；および
処理モジュール1003によって決定されたフィードバックアップリンクチャネルを使用して、ターゲットデータをネットワークデバイスに送信すること；
あるいは
端末デバイスがACK／NACKフィードバックを必要としない場合、受信モジュール1001によって受信されたマッピング関係に基づいて処理モジュール1003を使用して、ターゲットデータが送信されるアップリンクチャネルが非フィードバックアップリンクチャネルであると決定すること；および
処理モジュール1003によって決定された非フィードバックアップリンクチャネルを使用してターゲットデータをネットワークデバイスに送信すること
を含んでもよい。
【０２０３】
任意選択で、ブロードキャストメッセージは、フィードバックアップリンクチャネルの選択条件をさらに含んでもよく、選択条件は、フィードバックアップリンクチャネルを選択する確率pまたはフィードバックアップリンクチャネルを選択するための端末デバイス参照属性を含む。
【０２０４】
任意選択で、送信モジュール1002が、受信モジュール1001によって受信されたマッピング関係に基づいてターゲットデータをネットワークデバイスに送信するように構成されるということは：
選択条件がフィードバックアップリンクチャネルを選択するpである場合、処理モジュール1003を使用して［0，1］から値xをランダムに選択すること；
処理モジュール1003を使用してxをpと比較すること；
x＜pである場合、受信モジュール1001によって受信されたマッピング関係に基づいて処理モジュール1003を使用して、ターゲットデータが送信されるアップリンクチャネルがフィードバックアップリンクチャネルであると決定すること；および
処理モジュール1003によって決定されたフィードバックアップリンクチャネルを使用してターゲットデータをネットワークデバイスに送信すること；
あるいは
x＞＝pの場合、マッピング関係に基づいて処理モジュール1003を使用して、ターゲットデータが送信されるアップリンクチャネルが非フィードバックアップリンクチャネルであると決定すること；および
処理モジュール1003によって決定された非フィードバックアップリンクチャネルを使用してターゲットデータをネットワークデバイスに送信すること
を含んでもよい。
【０２０５】
任意選択で、送信モジュール1002が、受信モジュール1001によって受信されたマッピング関係に基づいてターゲットデータをネットワークデバイスに送信するように構成されるということは：
選択条件がフィードバックアップリンクチャネルを選択するための端末デバイス参照属性である場合、処理モジュールを使用して端末デバイスの属性と参照属性とを比較すること；
端末デバイスの属性が参照属性に達した場合、受信モジュールによって受信されたマッピング関係に基づいて処理モジュールを使用して、ターゲットデータが送信されるアップリンクチャネルがフィードバックアップリンクチャネルであると決定すること；および
処理モジュールによって決定されたフィードバックアップリンクチャネルを使用してターゲットデータをネットワークデバイスに送信すること；
あるいは
端末デバイスの属性が参照属性に達していない場合、マッピング関係に基づいて処理モジュールを使用して、ターゲットデータが送信されるアップリンクチャネルが非フィードバックアップリンクチャネルであると決定すること；および
処理モジュールによって決定された非フィードバックアップリンクチャネルを使用してターゲットデータをネットワークデバイスに送信すること
を含んでもよい。
【０２０６】
任意選択で、受信モジュール1001が、ネットワークデバイスによって暗示的に通知されたマッピング関係を受信するように構成されるということは、
ネットワークデバイスによって送信されたブロードキャストメッセージを受信し、ブロードキャストメッセージは、ACK／NACKをフィードバックするための対応するPDCCHロケーションを含み、ブロードキャストメッセージは、ターゲットデータが指示識別子を搬送するかどうかと、ネットワークデバイスによってACK／NACKをフィードバックするための指示情報との間のマッピング関係を搬送すること
を含んでもよい。
【０２０７】
任意選択で、送信モジュール1002が、受信モジュール1001によって受信されたマッピング関係に基づいてターゲットデータをネットワークデバイスに送信するように構成されるということは：
端末デバイスの属性に基づいて処理モジュール1003を使用して、ACK／NACKフィードバックが必要であるかどうかを決定すること；
端末デバイスがACK／NACKフィードバックを必要とする場合、マッピング関係に基づいて処理モジュール1003を使用して指示識別子をターゲットデータに追加すること；および
指示識別子を搬送するターゲットデータをネットワークデバイスに送信すること；
あるいは
端末デバイスがACK／NACKフィードバックを必要としない場合、マッピング関係に基づいて処理モジュール1003を使用して指示識別子をターゲットデータに追加することをスキップすること；および
指示識別子を搬送しないターゲットデータをネットワークデバイスに送信すること
を含む。
【０２０８】
任意選択で、ブロードキャストメッセージは、ACK／NACKフィードバックをサポートする参照条件をさらに含むことができ、参照条件は、ACK／NACKフィードバックをサポートする端末デバイス参照属性を含む。
【０２０９】
任意選択で、送信モジュール1002が、受信モジュール1001によって受信されたマッピング関係に基づいてターゲットデータをネットワークデバイスに送信するように構成されるということは：
処理モジュール1003を使用して端末デバイスの属性と参照属性とを比較すること；
端末デバイスの属性が参照属性に達した場合、マッピング関係に基づいて処理モジュール1003を使用して指示識別子をターゲットデータに追加すること、および
指示識別子を搬送するターゲットデータをネットワークデバイスに送信すること；
あるいは
端末デバイスの属性が参照属性に達していない場合、マッピング関係に基づいて処理モジュール1003を使用して指示識別子をターゲットデータに追加することをスキップすること；および
指示識別子を搬送しないターゲットデータをネットワークデバイスに送信すること
を含んでもよい。
【０２１０】
上記は、モジュール式機能エンティティの観点から本発明のこの実施形態におけるネットワークデバイスを説明しており、以下に、ハードウェア処理の観点から本発明のこの実施形態におけるネットワークデバイスを説明する。
【０２１１】
図11は、本発明の一実施形態によるネットワークデバイスの一実施形態におけるハードウェアのブロック図である。ネットワークデバイス1100は、異なる構成または性能のために互いに比較的異なり得る。ネットワークデバイス1100は、1つまたは複数の中央処理ユニット（central processing units、CPU）1122（例えば、1つまたは複数のプロセッサ）およびメモリ1132、ならびにデータ1144の1つまたは複数のストレージアプリケーションプログラム1142または記憶媒体1130（例えば、1つまたは複数の大容量記憶装置）を含み得る。メモリ1132および記憶媒体1130を、一時記憶装置または永続記憶装置とすることができる。記憶媒体1130に格納されたプログラムは、1つまたは複数のモジュール（図示せず）を含み得、各モジュールは、サーバ上の一連の指示操作を含み得る。さらに、中央処理ユニット1122は、記憶媒体1130と通信し、ネットワークデバイス1100上で記憶媒体1130内の一連の指示操作を実行するように構成され得る。
【０２１２】
ネットワークデバイス1100は、1つまたは複数の電源1126、1つまたは複数の有線もしくは無線ネットワークインタフェース1150、1つまたは複数の入出力インタフェース1158、および／またはWindows Server TM、Mac OS XTM、Unix TM、Linux(登録商標) TM、Free BSD TMなどの1つまたは複数のオペレーティングシステム1141をさらに含み得る。
【０２１３】
図11に示されるネットワークデバイス構造に基づいて、前述の実施形態におけるネットワークデバイスによって実行されるステップについては、前述の実施形態における対応するプロセスを参照し、詳細はここでは再度説明されない。
【０２１４】
上記は、モジュール式機能エンティティの観点から本発明のこの実施形態における端末デバイスを説明しており、以下に、ハードウェア処理の観点から本発明のこの実施形態における端末デバイスを説明する。
【０２１５】
図12は、本発明の実施形態による端末デバイスの一実施形態におけるハードウェアのブロック図である。説明を容易にするために、本発明の実施形態に関連する部分のみを示している。開示されていない技術的詳細については、本発明の方法の実施形態を参照されたい。端末デバイスは、携帯電話、タブレット型コンピュータ、PDA（Personal Digital Assistant、パーソナルデジタルアシスタント）、POS（Point of Sales、販売時点情報管理）、または車載コンピュータなどの任意の端末デバイスであり得る。例えば、端末デバイスは携帯電話である。
【０２１６】
図12は、本発明の実施形態において提供される端末デバイスに関する携帯電話の部分構造のブロック図を示している。図12を参照すると、携帯電話は、無線周波数（Radio Frequency、RF）回路1210、メモリ1220、入力ユニット1230、表示ユニット1240、センサ1250、オーディオ回路1260、ワイファイ（wireless fidelity、WiFi）モジュール1270、プロセッサ1280、および電源1290などの構成要素を含む。
【０２１７】
図12に示す端末デバイス構造に基づいて、前述の実施形態における端末デバイスによって実行されるステップについては、前述の実施形態における対応するプロセスを参照し、詳細はここでは再度説明されない。
【０２１８】
当業者は、図12に示される携帯電話の構造が携帯電話に対するいかなる制限も構成しないことを理解されよう。携帯電話は、図に示されているものより多いまたは少ない構成要素を含んでもよく、またはいくつかの構成要素を組み合わせてもよく、あるいは異なる構成要素配置を有してもよい。
【０２１９】
前述のシステム、装置、およびユニットの詳細な作動プロセスのための、簡便な説明の目的で、前述の方法の実施形態に対応するプロセスが参照され得ることは、当業者であれば明確に理解することができ、詳細はここでは再度説明しない。
【０２２０】
本出願で提供されるいくつかの実施形態では、開示されたシステム、装置、および方法は、他の態様で実現されてもよいことが理解されるべきである。例えば、説明した装置の実施形態は単なる例である。例えば、ユニットの部分は単に論理機能の部分であり、実際の実装においては他の部分であってもよい。例えば、複数のユニットまたはコンポーネントが組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用して実現されてもよい。装置またはユニット間の間接的な結合または通信接続は、電子的に、機械的に、または他の形式で実現されてもよい。
【０２２１】
別々の構成要素として記載されたユニットは、物理的に分離されていてもいなくてもよく、ユニットとして表示された構成要素は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに基づいて選択されてもよい。
【０２２２】
また、本発明の実施形態における機能ユニットは、1つの処理ユニットに組み込まれてもよく、または各ユニットは、単独で、物理的に存在してもよく、または2つ以上のユニットが1つのユニットに統合される。統合ユニットは、ハードウェアの形態で実装されてもよく、またはソフトウェア機能ユニットの形態で実装されてもよい。
【０２２３】
統合ユニットが、ソフトウェア機能ユニットの形態で実装され、独立した製品として販売または使用される場合、統合ユニットは、コンピュータ読み取り可能な記憶媒体に格納されてもよい。このような理解に基づいて、基本的に本発明の技術的解決策、または従来技術に寄与する部分、または技術的解決策のすべてもしくは一部は、ソフトウェア製品の形態で実現されてもよい。ソフトウェア製品は、記憶媒体に格納され、本発明の実施形態に記載の方法のステップのすべてまたは一部を実行するために、コンピュータデバイス（パーソナルコンピュータ、サーバ、またはネットワークデバイスであってもよい）を指示するためのいくつかの命令を含む。前述の記憶媒体は、例えば、USBフラッシュドライブ、リムーバブルハードディスク、読み取り専用メモリ（Read−Only Memory、ROM）、ランダムアクセスメモリ（Random Access Memory、RAM）、磁気ディスク、または光ディスクなどの、プログラムコードを格納することができる任意の媒体を含む。
【０２２４】
前述の実施形態は、本発明を制限するものではなく、本発明の技術的解決策を説明するためのものに過ぎない。前述の実施形態に関連して本発明を詳細に説明したが、当業者は、本発明の実施形態の技術的解決策の趣旨および範囲から逸脱することなく、前述の実施形態で説明した技術的解決策に更なる変更を加えるか、一部のその技術的特徴に同等の置換を行うことができることを理解すべきである。
【符号の説明】
【０２２５】
101  端末デバイス
102  ネットワークデバイス
900  ネットワークデバイス
901  送信モジュール
902  受信モジュール
903  処理モジュール
1000  端末デバイス
1001  受信モジュール
1002  送信モジュール
1003  処理モジュール
1021  コアネットワークコントローラ
1022  ゲートウェイ
1023  ベースバンド処理ユニット
1024  マクロ基地局
1025  マイクロ基地局
1026  無線周波数ユニット
1100  ネットワークデバイス
1122  中央処理ユニット
1126  電源
1130  記憶媒体
1132  メモリ
1141  オペレーティングシステム
1142  ストレージアプリケーションプログラム
1144  データ
1150  有線または無線ネットワークインタフェース
1158  入出力インタフェース
1210  無線周波数回路
1220  メモリ
1230  入力ユニット
1240  表示ユニット
1250  センサ
1260  オーディオ回路
1270  ワイファイモジュール
1280  プロセッサ
1290  電源
【図１】
2019533398.tif 000003
【図２】
2019533398.tif 000004
【図３】
2019533398.tif 000005
【図４】
2019533398.tif 000006
【図５】
2019533398.tif 000007
【図６】
2019533398.tif 000008
【図７】
2019533398.tif 000009
【図８】
2019533398.tif 000010
【図９】
2019533398.tif 000011
【図１０】
2019533398.tif 000012
【図１１】
2019533398.tif 000013
【図１２】
2019533398.tif 000014
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
無認可スペクトルのACK／NACKフィードバック方法であって、前記方法は、
ネットワークデバイスによって、マッピング関係を端末デバイスに明示的または暗示的に通知するステップであって、前記マッピング関係は、前記端末デバイスによって送信されたターゲットデータに関する情報と前記ネットワークデバイスによって肯定応答(ACK)／否定応答(NACK)をフィードバックするための指示情報との間のマッピング関係を含む、ステップと、
前記ネットワークデバイスによって、前記端末デバイスによって送信された前記ターゲットデータを受信するステップと、
前記ネットワークデバイスによって、前記ターゲットデータおよび前記マッピング関係に関する前記情報に基づいて対応する指示情報を決定するステップと、
前記ネットワークデバイスによって、前記ACK／NACKをフィードバックすることを決定するための前記指示情報に基づいて前記ACK／NACKを端末デバイスにフィードバックするステップと
を含む、方法。
【請求項２】
前記ネットワークデバイスによって、前記ターゲットデータに関する前記情報および前記マッピング関係に基づいて前記対応する指示情報を決定する前記ステップが、
前記ネットワークデバイスによって、前記ターゲットデータが送信されるアップリンクチャネルのタイプを決定するステップであって、前記アップリンクチャネルのタイプはフィードバックアップリンクチャネルと非フィードバックアップリンクチャネルとを含む、ステップと、
前記ネットワークデバイスによって、前記ターゲットデータが送信される前記アップリンクチャネルのタイプおよび前記マッピング関係に基づいて前記対応する指示情報を決定するステップと
を含む、請求項1に記載の方法。
【請求項３】
前記ネットワークデバイスによって、前記ターゲットデータが送信される前記アップリンクチャネルのタイプおよび前記マッピング関係に基づいて前記対応する指示情報を決定する前記ステップが、
前記ターゲットデータが前記フィードバックアップリンクチャネル上で送信される場合、前記マッピング関係に基づいて前記ネットワークデバイスによって、前記指示情報が前記ACK／NACKを前記端末デバイスにフィードバックしていると決定するステップ、あるいは
前記ターゲットデータが前記非フィードバックアップリンクチャネル上で送信される場合、前記マッピング関係に基づいて前記ネットワークデバイスによって、前記指示情報が前記ACK／NACKを前記端末デバイスにフィードバックしていないと決定するステップ
を含む、請求項2に記載の方法。
【請求項４】
ネットワークデバイスによって、マッピング関係を端末デバイスに明示的に通知する前記ステップが、
前記ネットワークデバイスによって、ブロードキャストメッセージを前記端末デバイスに送信するステップであって、前記ブロードキャストメッセージは、前記アップリンクチャネルのタイプと、前記フィードバックアップリンクチャネルに対応する物理ダウンリンク制御チャネルPDCCHロケーションとを含み、前記ブロードキャストメッセージは、前記ターゲットデータが送信される前記アップリンクチャネルのタイプと、前記ネットワークデバイスによって前記ACK／NACKをフィードバックするための前記指示情報との間のマッピング関係を搬送する、ステップ
を含む、請求項2に記載の方法。
【請求項５】
前記ブロードキャストメッセージが、前記フィードバックアップリンクチャネルの選択条件をさらに含み、前記選択条件は、前記フィードバックアップリンクチャネルを選択する確率pまたは前記フィードバックアップリンクチャネルを選択するための端末デバイス参照属性を含む、請求項4に記載の方法。
【請求項６】
無認可スペクトルのACK／NACKフィードバック方法であって、前記方法は、
端末デバイスによって、ネットワークデバイスにより明示的または暗示的に通知されたマッピング関係を受信するステップであって、前記マッピング関係は、前記端末デバイスによって送信されたターゲットデータに関する情報と前記ネットワークデバイスによってACK／NACKをフィードバックするための指示情報との間のマッピング関係を含む、ステップと、
前記端末デバイスによって、前記マッピング関係に基づいて前記ターゲットデータを前記ネットワークデバイスに送信するステップと、
前記端末デバイスによって、前記ターゲットデータに関する情報および前記マッピング関係に基づいて対応する指示情報を決定するステップと、
前記端末デバイスによって、前記ACK／NACKをフィードバックすることを決定するための前記指示情報に基づいて、前記ネットワークデバイスによりフィードバックされた前記ACK／NACKを監視するステップと
を含む、方法。
【請求項７】
端末デバイスによって、ネットワークデバイスにより明示的に通知されたマッピング関係を受信する前記ステップが、
前記端末デバイスによって、前記ネットワークデバイスにより送信されたブロードキャストメッセージを受信するステップであって、前記ブロードキャストメッセージはアップリンクチャネルのタイプおよびフィードバックアップリンクチャネルに対応するPDCCHロケーションを含み、前記アップリンクチャネルのタイプは、フィードバックアップリンクチャネルと非フィードバックアップリンクチャネルとを含み、前記ブロードキャストメッセージは、前記ターゲットデータが送信される前記アップリンクチャネルのタイプと前記ネットワークデバイスによって前記ACK／NACKをフィードバックするための前記指示情報との間のマッピング関係を搬送する、ステップ
を含む、請求項6に記載の方法。
【請求項８】
前記端末デバイスによって、前記マッピング関係に基づいて前記ターゲットデータを前記ネットワークデバイスに送信する前記ステップが、
前記端末デバイスによって、ACK／NACKフィードバックが必要であるかどうかを前記端末デバイスの属性に基づいて決定するステップと、
前記端末デバイスが前記ACK／NACKフィードバックを必要とする場合、前記マッピング関係に基づいて前記端末デバイスによって、前記ターゲットデータが送信される前記アップリンクチャネルが前記フィードバックアップリンクチャネルであると決定するステップと、
前記端末デバイスによって、前記フィードバックアップリンクチャネルを使用して前記ターゲットデータを前記ネットワークデバイスに送信するステップと、
あるいは
前記端末デバイスが前記ACK／NACKフィードバックを必要としない場合、前記マッピング関係に基づいて前記端末デバイスによって、前記ターゲットデータが送信される前記アップリンクチャネルが前記非フィードバックアップリンクチャネルであると決定するステップと、
前記端末デバイスによって、前記非フィードバックアップリンクチャネルを使用して前記ターゲットデータを前記ネットワークデバイスに送信するステップと
を含む、請求項7に記載の方法。
【請求項９】
前記ブロードキャストメッセージが、前記フィードバックアップリンクチャネルの選択条件をさらに含み、前記選択条件は、前記フィードバックアップリンクチャネルを選択する確率pまたは前記フィードバックアップリンクチャネルを選択するための端末デバイス参照属性を含む、請求項7に記載の方法。
【請求項１０】
前記端末デバイスによって、前記マッピング関係に基づいて前記ターゲットデータを前記ネットワークデバイスに送信する前記ステップが、
前記選択条件が、前記フィードバックアップリンクチャネルを選択するpである場合、前記端末デバイスによって、［0，1］から値xをランダムに選択するステップと、
前記端末デバイスによって、xをpと比較するステップと、
x＜pの場合、前記マッピング関係に基づいて前記端末デバイスによって、前記ターゲットデータが送信される前記アップリンクチャネルが前記フィードバックアップリンクチャネルであると決定するステップと、
前記端末デバイスによって、前記フィードバックアップリンクチャネルを使用して、前記ターゲットデータを前記ネットワークデバイスに送信するステップと、
あるいは
x＞＝pの場合、前記マッピング関係に基づいて前記端末デバイスによって、前記ターゲットデータが送信される前記アップリンクチャネルが前記非フィードバックアップリンクチャネルであると決定するステップと、
前記端末デバイスによって、前記非フィードバックアップリンクチャネルを使用して前記ターゲットデータを前記ネットワークデバイスに送信するステップと
を含む、請求項9に記載の方法。
【請求項１１】
マッピング関係を端末デバイスに明示的または暗示的に通知するように構成された送信機であって、前記マッピング関係は前記端末デバイスによって送信されたターゲットデータに関する情報とネットワークデバイスによってACK／NACKをフィードバックするための指示情報との間のマッピング関係を含む、送信機と、
前記端末デバイスによって送信された前記ターゲットデータを受信するように構成された受信機と、
前記受信機によって受信された前記ターゲットデータに関する前記情報および前記マッピング関係に基づいて対応する指示情報を決定するように構成されたプロセッサと
を備える、ネットワークデバイスであって、
前記送信機は、前記ACK／NACKをフィードバックすることを決定するためのものでありかつ前記プロセッサによって実行された処理の後に取得される前記指示情報に基づいて、前記ACK／NACKを前記端末デバイスにフィードバックするようにさらに構成される、
ネットワークデバイス。
【請求項１２】
前記プロセッサが、前記受信機によって受信された前記ターゲットデータに関する前記情報および前記マッピング関係に基づいて前記対応する指示情報を決定するように構成されるということが、
前記受信機によって受信された前記ターゲットデータが送信されるアップリンクチャネルのタイプを決定し、前記アップリンクチャネルのタイプは、フィードバックアップリンクチャネルおよび非フィードバックアップリンクチャネルを含むこと、および
前記受信機によって受信された前記ターゲットデータが送信される前記アップリンクチャネルのタイプおよび前記マッピング関係に基づいて前記対応する指示情報を決定すること
を含む、請求項11に記載のネットワークデバイス。
【請求項１３】
前記プロセッサが、前記受信機によって受信された前記ターゲットデータが送信される前記アップリンクチャネルのタイプおよび前記マッピング関係に基づいて前記対応する指示情報を決定するように構成されるということが、
前記ターゲットデータが前記フィードバックアップリンクチャネル上で送信される場合、前記マッピング関係に基づいて、前記指示情報が前記ACK／NACKを前記端末デバイスにフィードバックしていると決定すること、あるいは
前記ターゲットデータが前記非フィードバックアップリンクチャネル上で送信される場合、前記マッピング関係に基づいて、前記指示情報が前記ACK／NACKを前記端末デバイスにフィードバックしていないと決定すること
を含む、請求項12に記載のネットワークデバイス。
【請求項１４】
前記送信機が端末デバイスにマッピング関係を明示的に通知するように構成されるということが、
ブロードキャストメッセージを前記端末デバイスに送信し、前記ブロードキャストメッセージは、前記アップリンクチャネルのタイプと、前記フィードバックアップリンクチャネルに対応する物理ダウンリンク制御チャネルPDCCHロケーションとを含み、前記ブロードキャストメッセージは、前記ターゲットデータが送信される前記アップリンクチャネルのタイプと、前記ネットワークデバイスによって前記ACK／NACKをフィードバックするための前記指示情報との間のマッピング関係を搬送すること
を含む、請求項12に記載のネットワークデバイス。
【請求項１５】
前記ブロードキャストメッセージが、前記フィードバックアップリンクチャネルの選択条件をさらに含み、前記選択条件は、前記フィードバックアップリンクチャネルを選択する確率pまたは前記フィードバックアップリンクチャネルを選択するための端末デバイス参照属性を含む、請求項14に記載のネットワークデバイス。
【請求項１６】
ネットワークデバイスによって明示的または暗示的に通知されたマッピング関係を受信するように構成された受信機であって、前記マッピング関係は、端末デバイスによって送信されたターゲットデータに関する情報と、前記ネットワークデバイスによってACK／NACKをフィードバックするための指示情報との間のマッピング関係を含む、受信機と、
前記受信機によって受信された前記マッピング関係に基づいて前記ターゲットデータを前記ネットワークデバイスに送信するように構成された送信機と、
前記送信機によって送信された前記ターゲットデータに関する前記情報と、前記受信機によって受信された前記マッピング関係とに基づいて、対応する指示情報を決定し、前記ACK／NACKをフィードバックすることを決定するための前記指示情報に基づいて、前記ネットワークデバイスによってフィードバックされた前記ACK／NACKをさらに監視するように構成されたプロセッサと、
を備える、端末デバイス。
【請求項１７】
前記受信機が、ネットワークデバイスによって明示的に通知されたマッピング関係を受信するように構成されるということが、
前記ネットワークデバイスにより送信されたブロードキャストメッセージを受信し、前記ブロードキャストメッセージはアップリンクチャネルのタイプおよびフィードバックアップリンクチャネルに対応するPDCCHロケーションを含み、前記アップリンクチャネルのタイプは、フィードバックアップリンクチャネルと非フィードバックアップリンクチャネルとを含み、前記ブロードキャストメッセージは、前記ターゲットデータが送信される前記アップリンクチャネルのタイプと前記ネットワークデバイスによって前記ACK／NACKをフィードバックするための前記指示情報との間のマッピング関係を搬送すること
を含む、請求項16に記載の端末デバイス。
【請求項１８】
前記送信機が、前記受信機によって受信された前記マッピング関係に基づいて前記ターゲットデータを前記ネットワークデバイスに送信するように構成されるということが、
前記端末デバイスの属性に基づいて前記プロセッサを使用して、ACK／NACKフィードバックが必要であるかどうかを決定すること、
前記端末デバイスが前記ACK／NACKフィードバックを必要とする場合、前記受信機によって受信された前記マッピング関係に基づいて前記プロセッサを使用して、前記ターゲットデータが送信される前記アップリンクチャネルが前記フィードバックアップリンクチャネルであると決定すること、および
前記プロセッサによって決定された前記フィードバックアップリンクチャネルを使用して、前記ターゲットデータを前記ネットワークデバイスに送信すること、
あるいは
前記端末デバイスが前記ACK／NACKフィードバックを必要としない場合、前記受信機によって受信された前記マッピング関係に基づいて前記プロセッサを使用して、前記ターゲットデータが送信される前記アップリンクチャネルが前記非フィードバックアップリンクチャネルであると決定すること、および
前記プロセッサによって決定された前記非フィードバックアップリンクチャネルを使用して前記ターゲットデータを前記ネットワークデバイスに送信すること
を含む、請求項17に記載の端末デバイス。
【請求項１９】
前記ブロードキャストメッセージが、前記フィードバックアップリンクチャネルの選択条件をさらに含み、前記選択条件は、前記フィードバックアップリンクチャネルを選択する確率pまたは前記フィードバックアップリンクチャネルを選択するための端末デバイス参照属性を含む、請求項17に記載の端末デバイス。
【請求項２０】
前記送信機が、前記受信機によって受信された前記マッピング関係に基づいて前記ターゲットデータを前記ネットワークデバイスに送信するように構成されるということが、
前記選択条件が前記フィードバックアップリンクチャネルを選択するpである場合、前記プロセッサを使用して［0，1］から値xをランダムに選択すること；
前記プロセッサを使用してxをpと比較すること；
x＜pである場合、前記受信機によって受信された前記マッピング関係に基づいて前記プロセッサを使用して、前記ターゲットデータが送信される前記アップリンクチャネルが前記フィードバックアップリンクチャネルであると決定すること、および
前記プロセッサによって決定された前記フィードバックアップリンクチャネルを使用して前記ターゲットデータを前記ネットワークデバイスに送信すること、
あるいは
x＞＝pの場合、前記マッピング関係に基づいて前記プロセッサを使用して、前記ターゲットデータが送信される前記アップリンクチャネルが前記非フィードバックアップリンクチャネルであると決定すること、および
前記プロセッサによって決定された前記非フィードバックアップリンクチャネルを使用して前記ターゲットデータを前記ネットワークデバイスに送信すること
を含む、請求項19に記載の端末デバイス。
【手続補正２】
【補正対象書類名】明細書
【補正対象項目名】００７０
【補正方法】変更
【補正の内容】
【００７０】
本発明の実施形態における技術的解決策を、本発明の実施形態における添付図面を参照して、明確に以下に説明する。明らかに、説明される実施形態は、本発明の実施形態のすべてではなく、一部である。創造的な取り組みをすることなく、本発明の実施形態に基づいて当業者によって得られる他のすべての実施形態は、本発明の保護範囲内に含まれるものとする。
【手続補正３】
【補正対象書類名】明細書
【補正対象項目名】０１３３
【補正方法】変更
【補正の内容】
【０１３３】
端末デバイスは、ブロードキャストメッセージを使用して、アップリンクチャネル分類、confirmedアップリンクチャネルに対応するPDCCHロケーション、およびconfirmedアップリンクチャネルを選択する確率pを学習することができる。
【手続補正４】
【補正対象書類名】明細書
【補正対象項目名】０２１５
【補正方法】変更
【補正の内容】
【０２１５】
図12は、本発明の実施形態による端末デバイスの一実施形態におけるハードウェアのブロック図である。説明を容易にするために、本発明の実施形態に関連する部分のみを示している。開示されていない技術的詳細については、本発明の方法の実施形態を参照されたい。端末デバイスは、携帯電話、タブレット型コンピュータ、パーソナルデジタルアシスタント（Personal Digital Assistant、PDA）、販売時点情報管理（Point of Sales、POS）、または車載コンピュータなどの任意の端末デバイスであり得る。例えば、端末デバイスは携帯電話である。
【国際調査報告】
2019533398.tif 000015
2019533398.tif 000016
2019533398.tif 000017
2019533398.tif 000018